(57)【要約】【課題】住宅事情の変化により、仏壇設置スペースが取れない家庭が多くなっている。仏壇がなくても、故人の供養はしっかり行いたいと思うご遺族の気持ちに応えるためには、仏壇に代わる省スペース、且つ、故人を偲び回想できる故人の映像、音声などの記録の活用が求められる、という課題があった。【解決手段】上記課題を解決するために、実物の仏壇設置を前提とせず、バーチャルな仏壇とオンラインによる音声映像技術を用いることから、いつでもどこからでも故人を偲んで供養することができるオンラインバーチャル仏壇装置を提供する。【選択図】図２
2019141135.tif 000002
【特許請求の範囲】
【請求項１】
利用者識別情報を保持する利用者識別情報保持部と、
利用者識別情報と関連付けて偲ぶべき故人を特定するための故人識別情報を保持する故人識別情報保持部と、
故人識別情報と関連付けて故人識別情報にて識別される故人を偲ぶための情報である故人回想情報を取得する故人回想情報取得部と、
取得した故人回想情報と故人識別情報とを関連付けて保持する故人回想情報保持部と、
利用者識別情報と、故人識別情報と、に関連付けて故人の回想のための出力の要求である故人回想出力要求を取得する故人回想出力要求取得部と、
受け付けた故人回想出力要求に応じて故人回想情報と合わせて出力すべき仏壇映像を少なくとも含む故人回想随伴情報を保持する故人回想随伴情報保持部と、
受け付けた故人回想出力要求に応じて故人回想情報又は／及び故人回想随伴情報を出力する故人回想出力部と、
を有するオンラインバーチャル仏壇装置。
【請求項２】
故人回想出力要求取得部にて取得した利用者識別情報と故人識別情報とが関連付けられて故人識別情報保持部に保持されているか判断する故人回想出力要求判断部と、
故人回想出力要求判断部での判断結果が保持されているとの判断結果である場合にのみ故人回想出力部からの出力を行うように制御する制御部と、
をさらに有する請求項１に記載のオンラインバーチャル仏壇装置。
【請求項３】
故人回想随伴情報保持部は、故人回想随伴情報を利用者識別情報に応じて保持する利用者別故人随伴情報保持手段を有し、
故人回想出力部は、故人回想出力要求取得部にて取得した故人回想出力要求に関連付けられている利用者識別情報に関連付けられている故人回想随伴情報を出力する利用者別故人回想出力手段を有する請求項１又は２に記載のオンラインバーチャル仏壇装置。
【請求項４】
故人回想出力部の出力履歴である故人回想出力履歴をその出力を要求した利用者識別情報と関連付けて保持する故人回想出力履歴保持部と、
保持されている故人回想出力履歴を出力する故人回想出力履歴出力部と、
をさらに有する請求項１から請求項３のいずれか一に記載のオンラインバーチャル仏壇装置。
【請求項５】
利用者識別情報と、これに関連付けられている故人識別情報とに関連付けて通貨を利用した御香料又は御香料類似の送金・着金するためのクレジット機能部をさらに有する請求項１から請求項４のいずれか一に記載のオンラインバーチャル仏壇装置。
【請求項６】
利用者識別情報を取得する利用者識別情報取得ステップと、
利用者識別情報と関連付けて偲ぶべき故人を特定するための故人識別情報を取得する故人識別情報取得ステップと、
故人識別情報と関連付けて故人識別情報にて識別される故人を偲ぶための情報である故人回想情報を取得する故人回想情報取得ステップと、
利用者識別情報と、故人識別情報と、に関連付けて故人の回想のための出力の要求である故人回想出力要求を取得する故人回想出力要求取得ステップと、
受け付けた故人回想出力要求に応じて故人回想情報と合わせて出力すべき仏壇映像を少なくとも含む故人回想随伴情報を取得する故人回想随伴情報取得ステップと、
受け付けた故人回想出力要求に応じて故人回想情報又は／及び故人回想随伴情報を出力する故人回想出力ステップと、
を有する計算機であるオンラインバーチャル仏壇装置の動作方法。
【請求項７】
故人回想出力要求取得部にて取得した利用者識別情報と故人識別情報とが関連付けられて取得されたか判断する故人回想出力要求判断ステップと、
故人回想出力要求判断ステップでの判断結果が取得されているとの判断結果である場合にのみ故人回想出力ステップでの出力を行うように制御する制御ステップと、
をさらに有する請求項６に記載の計算機であるオンラインバーチャル仏壇装置の動作方法。
【請求項８】
故人回想随伴情報取得ステップは、故人回想随伴情報を利用者識別情報に応じて取得する利用者別個人随伴情報取得サブステップを有し、
故人回想出力ステップは、故人回想出力要求取得ステップにて取得した故人回想出力要求に関連付けられている利用者識別情報に関連付けられている故人回想随伴情報を出力する利用者別故人回想出力サブステップを有する請求項６又は７に記載の計算機であるオンラインバーチャル仏壇装置の動作方法。
【請求項９】
故人回想出力ステップの出力履歴である故人回想出力履歴をその出力を要求した利用者識別情報と関連付けて取得する故人回想出力履歴取得ステップと、
取得した故人回想出力履歴を出力する故人回想出力履歴出力ステップと、
をさらに有する請求項６から請求項８のいずれか一に記載の計算機であるオンラインバーチャル仏壇装置の動作方法。
【請求項１０】
利用者識別情報と、これに関連付けられている故人識別情報とに関連付けて通貨を利用した御香料又は御香料類似の送金・着金するためのクレジット機能ステップをさらに有する請求項６から請求項９のいずれか一に記載の計算機であるオンラインバーチャル仏壇装置の動作方法。
【請求項１１】
利用者識別情報を取得する利用者識別情報取得ステップと、
利用者識別情報と関連付けて偲ぶべき故人を特定するための故人識別情報を取得する故人識別情報取得ステップと、
故人識別情報と関連付けて故人識別情報にて識別される故人を偲ぶための情報である故人回想情報を取得する故人回想情報取得ステップと、
利用者識別情報と、故人識別情報と、に関連付けて故人の回想のための出力の要求である故人回想出力要求を取得する故人回想出力要求取得ステップと、
受け付けた故人回想出力要求に応じて故人回想情報と合わせて出力すべき仏壇映像を少なくとも含む故人回想随伴情報を取得する故人回想随伴情報取得ステップと、
受け付けた故人回想出力要求に応じて故人回想情報又は／及び故人回想随伴情報を出力する故人回想出力ステップと、
を有する計算機であるオンラインバーチャル仏壇装置に読取り実行可能に記述された動作プログラム。
【請求項１２】
故人回想出力要求取得部にて取得した利用者識別情報と故人識別情報とが関連付けられて取得されたか判断する故人回想出力要求判断ステップと、
故人回想出力要求判断ステップでの判断結果が取得されているとの判断結果である場合にのみ故人回想出力ステップでの出力を行うように制御する制御ステップと、
をさらに有する請求項６に記載の計算機であるオンラインバーチャル仏壇装置に読取り実行可能に記述された動作プログラム。
【請求項１３】
故人回想随伴情報取得ステップは、故人回想随伴情報を利用者識別情報に応じて取得する利用者別個人随伴情報取得サブステップを有し、
故人回想出力ステップは、故人回想出力要求取得ステップにて取得した故人回想出力要求に関連付けられている利用者識別情報に関連付けられている故人回想随伴情報を出力する利用者別故人回想出力サブステップを有する請求項６又は７に記載の計算機であるオンラインバーチャル仏壇装置に読取り実行可能に記述された動作プログラム。
【請求項１４】
故人回想出力ステップの出力履歴である故人回想出力履歴をその出力を要求した利用者識別情報と関連付けて取得する故人回想出力履歴取得ステップと、
取得した故人回想出力履歴を出力する故人回想出力履歴出力ステップと、
をさらに有する請求項６から請求項８のいずれか一に記載の計算機であるオンラインバーチャル仏壇装置に読取り実行可能に記述された動作プログラム。
【請求項１５】
利用者識別情報と、これに関連付けられている故人識別情報とに関連付けて通貨を利用した御香料又は御香料類似の送金・着金するためのクレジット機能ステップをさらに有する請求項６から請求項９のいずれか一に記載の計算機であるオンラインバーチャル仏壇装置に読取り実行可能に記述された動作プログラム。
【請求項１６】
宗教又は／及び宗派を選択する宗派等選択部と、
宗教又は／及び宗派に関連付けて仏壇の基本映像と、仏壇に配置される仏具等の映像、読み上げるお経や説教の音声のいずれか一以上である仏壇仏具映像を保持する仏壇仏具映像保持部と、
宗教又は／及び宗派の選択に応じてこれに関連付けられている仏壇仏具映像を取得する仏壇仏具映像取得部と、
取得した仏壇仏具映像を故人回想随伴情報保持部に故人識別情報と関連付けて保持させるために故人回想随伴情報として出力する仏壇仏具映像出力部と、
をさらに有する請求項１から請求項５のいずれか一に記載のオンラインバーチャル仏壇装置。
【請求項１７】
仏壇仏具映像取得部にて取得した仏壇仏具映像を利用者に編集させるための仏壇仏具映像編集部をさらに有する請求項１６に記載のオンラインバーチャル仏壇装置。
【請求項１８】
利用者に自分が死亡した時に故人回想情報として利用させるための情報であるエンディングノート情報を取得するエンディングノート情報取得部と、
取得したエンディングノート情報を保持するエンディングノート情報保持部と、
保持されているエンディングノート情報を故人回想情報保持部に故人回想情報として取得させるエンディングノート情報転送部と、
をさらに有する請求項１から請求項５、請求項１６、請求項１７のいずれか一に記載のオンラインバーチャル仏壇装置。
【請求項１９】
クレジット機能部の送金履歴、着金履歴を保持する送金着金履歴保持部と、
保持されている送金履歴、着金履歴を出力する履歴出力部と、
をさらに有する請求項５、請求項１６から請求項１８のいずれかであって請求項５に従属するオンラインバーチャル仏壇装置。
【請求項２０】
保持されている故人回想情報を利用者にファイルとしてダウンロードさせるための故人回想情報ダウンロード部をさらに有する請求項１から請求項５、請求項１６から請求項１９のいずれか一に記載のオンラインバーチャル仏壇装置。
【請求項２１】
保持されているエンディングノート情報を利用者にファイルとしてダウンロードさせるためのエンディングノート情報ダウンロード部をさらに有する請求項１８、請求項１８に従属する請求項１９、請求項１８に従属する請求項２０のいずれか一に記載のオンラインバーチャル仏壇装置。
【請求項２２】
利用者の親族、利用者の近親者などの連絡先である緊急連絡先を取得する緊急連絡先取得部と、
取得した緊急連絡先を保持する緊急連絡先保持部と、
保持されている緊急連絡先を閲覧するための緊急連絡先閲覧部と、
をさらに有する請求項１から請求項５、請求項１６から請求項２１のいずれか一に記載のオンラインバーチャル仏壇装置。
【発明の詳細な説明】
【技術分野】
【０００１】
本発明は、バーチャルな仏壇とオンラインによる音声映像技術を用いて、いつでもどこからでも故人を偲んで供養するための技術に関する。
【背景技術】
【０００２】
昨今、住居内に仏壇を持っていない家庭が増えている。これは住宅事情の変化によって、仏壇設置スペースが取れない家庭が多くなった事情を反映しているものと思われる。このような仏壇を設置できない事情はあっても、偲ぶべき故人の供養はしっかり行いたいと思うご遺族の気持ちは変わらない。
【０００３】
また、仕事や学業のために故人と過ごした故郷を離れて、都会暮らしや海外赴任のご遺族も多く、なかなか墓参りもままならず、故人を偲びたくてもいろいろと難しいという事情がある。
【０００４】
一方、近年のインターネット及びＳＮＳなどの写真や音声や動画などのネット配信技術の急速な発展から、故人の写真や音声や動画などの故人を回想する情報と位牌や遺影による仏壇映像などを組み合わせて、ご遺族のパソコンやスマホなどの画面に映し出し、いつでもどこからでも故人を偲んで供養することが可能となる技術インフラができてきた。
【０００５】
故人の映像、音声などを再生することにより、リアリティを伴って故人を偲ぶことができるとするという下記の先行する特許文献がある。ここにおいては、遺骨を収納する納骨部の上部に仏壇部を設け、そこに設置されたＤＶＤ−ＲＯＭなどの記録媒体に故人の映像、音声などを予め記録しておき、ＤＶＤプレイヤなどの映像表示装置と連動させて、故人の映像、音声などを再生する、という仕組みとなっている。
【先行技術文献】
【特許文献】
【０００６】
【特許文献１】特許第３７２３９４５号
【発明の概要】
【発明が解決しようとする課題】
【０００７】
上記先行技術は、遺骨を収納する納骨部の上部に仏壇部を設け、記録媒体に予め記録した故人の映像、音声などをその仏壇部に備え付けるとあり、実物の仏壇の設置が前提となる上、仏壇に付属する音声映像機器のために利用場所は限定される、という難点がある。
【課題を解決するための手段】
【０００８】
本発明は、上記課題を解決するために、以下のような構成を備え、実物の仏壇設置を前提とせず、バーチャルな仏壇とオンラインによる音声映像技術を用いることから、いつでもどこからでも故人を偲んで供養することができるオンラインバーチャル仏壇装置を提供する。
【０００９】
すなわち、利用者識別情報を保持する利用者識別情報保持部と、利用者識別情報と関連付けて偲ぶべき故人を特定するための故人識別情報を保持する故人識別情報保持部と、故人識別情報と関連付けて故人識別情報にて識別される故人を偲ぶための情報である故人回想情報を取得する故人回想情報取得部と、取得した故人回想情報と故人識別情報とを関連付けて保持する故人回想情報保持部と、利用者識別情報と、故人識別情報と、に関連付けて故人の回想のための出力の要求である故人回想出力要求を取得する故人回想出力要求取得部と、受け付けた故人回想出力要求に応じて故人回想情報と合わせて出力すべき仏壇映像を少なくとも含む故人回想随伴情報を保持する故人回想随伴情報保持部と、受け付けた故人回想出力要求に応じて故人回想情報又は／及び故人回想随伴情報を出力する故人回想出力部と、を有するオンラインバーチャル仏壇装置。
【００１０】
また、さらに、上記第一のオンラインバーチャル仏壇装置を基本として、故人回想出力要求取得部にて取得した利用者識別情報と故人識別情報とが関連付けられて故人識別情報保持部に保持されているか判断する故人回想出力要求判断部と、故人回想出力要求判断部での判断結果が保持されているとの判断結果である場合にのみ故人回想出力部からの出力を行うように制御する制御部と、をさらに有する第二のオンラインバーチャル仏壇装置も提供する。
【００１１】
また、上記第一又は第二のオンラインバーチャル仏壇装置を基本として、故人回想随伴情報保持部は、故人回想随伴情報を利用者識別情報に応じて保持する利用者別故人随伴情報保持手段を有し、故人回想出力部は、故人回想出力要求取得部にて取得した故人回想出力要求に関連付けられている利用者識別情報に関連付けられている故人回想随伴情報を出力する利用者別故人回想出力手段を有する第三のオンラインバーチャル仏壇装置も提供する。
【００１２】
また、上記第一から第三のオンラインバーチャル仏壇装置を基本として、故人回想出力部の出力履歴である故人回想出力履歴をその出力を要求した利用者識別情報と関連付けて保持する故人回想出力履歴保持部と、保持されている故人回想出力履歴を出力する故人回想出力履歴出力部と、をさらに有する第四のオンラインバーチャル仏壇装置も提供する。
【００１３】
また、上記第一から第四のオンラインバーチャル仏壇装置を基本として、利用者識別情報と、これに関連付けられている故人識別情報とに関連付けて通貨を利用した御香料又は御香料類似の送金・着金するためのクレジット機能部をさらに有する第五のオンラインバーチャル仏壇装置も提供する。
【００１４】
また、上記第一から第五のオンラインバーチャル仏壇装置を基本として、宗教又は／及び宗派を選択する宗派等選択部と、宗教又は／及び宗派に関連付けて仏壇の基本映像と、仏壇に配置される仏具等の映像、読み上げるお経や説教の音声のいずれか一以上である仏壇仏具映像を保持する仏壇仏具映像保持部と、宗教又は／及び宗派の選択に応じてこれに関連付けられている仏壇仏具映像を取得する仏壇仏具映像取得部と、取得した仏壇仏具映像を故人回想随伴情報保持部に故人識別情報と関連付けて保持させるために故人回想随伴情報として出力する仏壇仏具映像出力部と、をさらに有する第六のオンラインバーチャル仏壇装置も提供する。
【００１５】
また、上記第六のオンラインバーチャル仏壇装置を基本として、仏壇仏具映像取得部にて取得した仏壇仏具映像を利用者に編集させるための仏壇仏具映像編集部をさらに有する第七のオンラインバーチャル仏壇装置も提供する。
【００１６】
また、上記第一から第七のオンラインバーチャル仏壇装置を基本として、利用者に自分が死亡した時に故人回想情報として利用させるための情報であるエンディングノート情報を取得するエンディングノート情報取得部と、取得したエンディングノート情報を保持するエンディングノート情報保持部と、保持されているエンディングノート情報を故人回想情報保持部に故人回想情報として取得させるエンディングノート情報転送部と、をさらに有する第八のオンラインバーチャル仏壇装置も提供する。
【００１７】
また、上記第五及び第五をベースとする第六から第八のオンラインバーチャル仏壇装置を基本として、クレジット機能部の送金履歴、着金履歴を保持する送金着金履歴保持部と、保持されている送金履歴、着金履歴を出力する履歴出力部と、をさらに有する第九のオンラインバーチャル仏壇装置も提供する。
【００１８】
また、上記第一から第九のオンラインバーチャル仏壇装置を基本として、保持されている故人回想情報を利用者にファイルとしてダウンロードさせるための故人回想情報ダウンロード部をさらに有する第十のオンラインバーチャル仏壇装置も提供する。
【００１９】
また、上記第八及び第八をベースとする第九から第十のオンラインバーチャル仏壇装置を基本として、保持されているエンディングノート情報を利用者にファイルとしてダウンロードさせるためのエンディングノート情報ダウンロード部をさらに有する第十一のオンラインバーチャル仏壇装置も提供する。
【００２０】
また、上記第一から第十一のオンラインバーチャル仏壇装置を基本として、利用者の親族、利用者の近親者などの連絡先である緊急連絡先を取得する緊急連絡先取得部と、取得した緊急連絡先を保持する緊急連絡先保持部と、保持されている緊急連絡先を閲覧するための緊急連絡先閲覧部と、をさらに有する第十二のオンラインバーチャル仏壇装置も提供する。
【発明の効果】
【００２１】
以上のような構成をとる本発明によって、実物の仏壇設置を前提とせず、オンラインによる音声映像技術を用いたオンラインバーチャル仏壇装置及び故人を回想する写真や音声や映像などを組み合わせて、ご遺族のパソコンやスマホなどの画面に映し出すものである。これにより、リアリティを伴っていつでもどこからでも故人を偲んで供養することが可能となる。
【図面の簡単な説明】
【００２２】
【図１】実施形態１のオンラインバーチャル仏壇装置において、概要の一例を説明するための図である。
【図２】実施形態１のオンラインバーチャル仏壇装置において、機能ブロック図の一例を表す図である。
【図３】実施形態１のオンラインバーチャル仏壇装置において、利用者に関する情報を事前に登録するための入力画面の一例である。
【図４】実施形態１のオンラインバーチャル仏壇装置において、入力者ＩＤとパスワード入力前のログイン画面の一例である。
【図５】実施形態１のオンラインバーチャル仏壇装置において、入力者ＩＤとパスワード入力済のログイン画面の一例である。
【図６】実施形態１のオンラインバーチャル仏壇装置において、故人に関する情報を事前に登録するための入力画面の一例である。
【図７】実施形態１のオンラインバーチャル仏壇装置において、故人識別情報と関連付けられた故人回想情報の一例である。
【図８】実施形態１のオンラインバーチャル仏壇装置において、故人識別情報と関連付けられた故人回想情報を取得するための入力画面の一例である。
【図９】実施形態１のオンラインバーチャル仏壇装置において、故人識別情報と関連付けられた故人回想情報の内、選択された情報を出力要求する故人回想出力要求の入力画面（情報選択）の一例である。
【図１０】実施形態１のオンラインバーチャル仏壇装置において、故人回想出力要求が、故人回想情報及び後述する故人回想随伴情報を合わせて、情報の選択だけでなく、出力される順番を決めて、複数の写真や動画などをスライドショー形式に構成されたストーリーとすることを要求する故人回想出力要求の入力画面（出力順番）の一例である。
【図１１】実施形態１のオンラインバーチャル仏壇装置において、故人識別情報と関連付けられた故人回想随伴情報の一例である。
【図１２】実施形態１のオンラインバーチャル仏壇装置において、ハードウェア構成図の一例を表す図である。
【図１３】実施形態１のオンラインバーチャル仏壇装置において、処理の流れの一例を表すフローチャートである。
【図１４】実施形態２のオンラインバーチャル仏壇装置において、機能ブロック図の一例を表す図である。
【図１５】実施形態２のオンラインバーチャル仏壇装置において、ハードウェア構成図の一例を表す図である。
【図１６】実施形態２のオンラインバーチャル仏壇装置において、処理の流れの一例を表すフローチャートである。
【図１７】実施形態３のオンラインバーチャル仏壇装置において、機能ブロック図の一例を表す図である。
【図１８】実施形態３のオンラインバーチャル仏壇装置において、利用者識別情報及び故人識別情報と関連付けられた故人回想随伴情報の一例である。
【図１９】実施形態３のオンラインバーチャル仏壇装置において、故人識別情報と関連付けられた故人回想情報の内、利用者識別情報別に選択された情報を出力要求する故人回想出力要求の入力画面（情報選択）の一例である。
【図２０】実施形態３のオンラインバーチャル仏壇装置において、故人回想出力要求が、故人回想情報及び後述する故人回想随伴情報を合わせて、情報の選択だけでなく、利用者識別情報別に出力される順番を決めて、複数の写真や動画などをスライドショー形式に構成されたストーリーとすることを要求する故人回想出力要求の入力画面（出力順番）の一例である。
【図２１】実施形態３のオンラインバーチャル仏壇装置において、ハードウェア構成図の一例を表す図である。
【図２２】実施形態３のオンラインバーチャル仏壇装置において、処理の流れの一例を表すフローチャートである。
【図２３】実施形態４のオンラインバーチャル仏壇装置において、機能ブロック図の一例を表す図である。
【図２４】実施形態４のオンラインバーチャル仏壇装置において、ハードウェア構成図の一例を表す図である。
【図２５】実施形態４のオンラインバーチャル仏壇装置において、故人回想出力履歴の出力画面の一例である。
【図２６】実施形態４のオンラインバーチャル仏壇装置において、処理の流れの一例を表すフローチャートである。
【図２７】実施形態５のオンラインバーチャル仏壇装置において、機能ブロック図の一例を表す図である。
【図２８】実施形態５のオンラインバーチャル仏壇装置において、ハードウェア構成図の一例を表す図である。
【図２９】実施形態５のオンラインバーチャル仏壇装置において、御香料等履歴の出力画面の一例である。
【図３０】実施形態５のオンラインバーチャル仏壇装置において、御香料等の送金を指示するための入力画面の一例である。
【図３１】実施形態５のオンラインバーチャル仏壇装置において、処理の流れの一例を表すフローチャートである。
【図３２】実施形態６のオンラインバーチャル仏壇装置において、機能ブロック図の一例を表す図である。
【図３３】実施形態６のオンラインバーチャル仏壇装置において、ハードウェア構成図の一例を表す図である。
【図３４】実施形態６のオンラインバーチャル仏壇装置において、処理の流れの一例を表すフローチャートである。
【図３５】実施形態７のオンラインバーチャル仏壇装置において、機能ブロック図の一例を表す図である。
【図３６】実施形態７のオンラインバーチャル仏壇装置において、ハードウェア構成図の一例を表す図である。
【図３７】実施形態７のオンラインバーチャル仏壇装置において、処理の流れの一例を表すフローチャートである。
【図３８】実施形態８のオンラインバーチャル仏壇装置において、機能ブロック図の一例を表す図である。
【図３９】実施形態８のオンラインバーチャル仏壇装置において、ハードウェア構成図の一例を表す図である。
【図４０】実施形態８のオンラインバーチャル仏壇装置において、処理の流れの一例を表すフローチャートである。
【図４１】実施形態９のオンラインバーチャル仏壇装置において、機能ブロック図の一例を表す図である。
【図４２】実施形態９のオンラインバーチャル仏壇装置において、ハードウェア構成図の一例を表す図である。
【図４３】実施形態９のオンラインバーチャル仏壇装置において、処理の流れの一例を表すフローチャートである。
【図４４】実施形態１０のオンラインバーチャル仏壇装置において、機能ブロック図の一例を表す図である。
【図４５】実施形態１０のオンラインバーチャル仏壇装置において、ハードウェア構成図の一例を表す図である。
【図４６】実施形態１０のオンラインバーチャル仏壇装置において、処理の流れの一例を表すフローチャートである。
【図４７】実施形態１１のオンラインバーチャル仏壇装置において、機能ブロック図の一例を表す図である。
【図４８】実施形態１１のオンラインバーチャル仏壇装置において、ハードウェア構成図の一例を表す図である。
【図４９】実施形態１１のオンラインバーチャル仏壇装置において、処理の流れの一例を表すフローチャートである。
【図５０】実施形態１２のオンラインバーチャル仏壇装置において、機能ブロック図の一例を表す図である。
【図５１】実施形態１２のオンラインバーチャル仏壇装置において、ハードウェア構成図の一例を表す図である。
【図５２】実施形態１２のオンラインバーチャル仏壇装置において、処理の流れの一例を表すフローチャートである。
【発明を実施するための形態】
【００２３】
以下に、図を用いて本発明の実施の形態を説明する。なお、本発明はこれら実施の形態に何ら限定されるものではなく、その要旨を逸脱しない範囲において、種々なる態様で実施しうる。
【００２４】
実施形態１は、主に請求項１、請求項６、請求項１１について説明する。
【００２５】
実施形態２は、主に請求項２、請求項７、請求項１２について説明する。
【００２６】
実施形態３は、主に請求項３、請求項８、請求項１３について説明する。
【００２７】
実施形態４は、主に請求項４、請求項９、請求項１４について説明する。
【００２８】
実施形態５は、主に請求項５、請求項１０、請求項１５について説明する。
【００２９】
実施形態６は、主に請求項１６について説明する。
【００３０】
実施形態７は、主に請求項１７について説明する。
【００３１】
実施形態８は、主に請求項１８について説明する。
【００３２】
実施形態９は、主に請求項１９について説明する。
【００３３】
実施形態１０は、主に請求項２０について説明する。
【００３４】
実施形態１１は、主に請求項２１について説明する。
【００３５】
実施形態１２は、主に請求項２２について説明する。
＜実施形態１＞
＜実施形態１の概要＞
【００３６】
図１は、実施形態１のオンラインバーチャル仏壇装置において、概要の一例を説明するための図である。この図により、主な情報の流れが番号順に例示されている。先ず、ＡＢＣオンラインバーチャル仏壇装置サービス株式会社（０１０１）が運営管理するコンピュータであり、サーバである、オンラインバーチャル仏壇装置は、パソコンやスマホなどを利用した、利用者（０１０２）からの（１）故人回想出力要求を受け付ける。次に、オンラインバーチャル仏壇装置は、故人（０１０３）に関して、別途格納済みの（２）故人回想情報、例えば故人を偲ぶ動画や写真画像や音声ファイルや創作作品や経歴／プロフィール画像など、及び（３）故人回想随伴情報、例えば仏壇の基本映像と、仏壇に配置される故人の位牌や遺影や焼香や仏具等の映像、読み上げるお経や説教の音声ファイルなど、を読み出し、利用者（０１０２）のパソコンやスマホなどに（４）故人回想情報及び故人回想随伴情報を出力する。
＜実施形態１の構成＞
【００３７】
図２は、実施形態１のオンラインバーチャル仏壇装置において、機能ブロック図の一例を表す図である。この図に例示するように、実施形態１のオンラインバーチャル仏壇装置（０２００）は、利用者識別情報保持部（０２０１）と、故人識別情報保持部（０２０２）と、故人回想情報取得部（０２０３）と、故人回想情報保持部（０２０４）と、故人回想出力要求取得部（０２０５）と、故人回想随伴情報保持部（０２０６）と、故人回想出力部（０２０７）と、を有する。
【００３８】
なお、以下に記載する本システムの機能ブロックは、ハードウェア、ソフトウェア、又はハードウェア及びソフトウェアの両方として実現され得る。具体的には、コンピュータを利用するものであれば、ＣＰＵやメインメモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェースなどが挙げられる。
【００３９】
またこれらハードウェアやソフトウェアは、メインメモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
＜実施形態１の構成の説明＞
＜実施形態１の構成の説明：オンラインバーチャル仏壇装置＞
【００４０】
以上のような構成を持つコンピュータであり、サーバである。
＜実施形態１の構成の説明：利用者識別情報保持部＞
【００４１】
「利用者識別情報保持部」（図２：０２０１）は、利用者識別情報を保持するように構成されており、例えば、メインメモリや不揮発性メモリやインターフェースなどの組み合わせによって実現することができる。
【００４２】
図３は、実施形態１のオンラインバーチャル仏壇装置において、利用者に関する情報を事前に登録するための入力画面の一例である。利用者に関する情報は、例えば、利用者の氏名（０３０１）、利用者の住所（０３０２）などの利用者を特定する項目、及び電話番号（０３０３）、メールアドレス（０３０４）など利用者の連絡先などであるが、必要に応じて選択、又は／及び、追加されてもよく、この例に限定されるものではない。なお、利用者として想定される者は、故人の遺族のほかに友人、関係者なども想定できる。一方、このシステムを利用することで個人（故人の又は故人の親族）情報が公開されることとなるので、誰にでも自由に登録ができるように構成することは好ましくない。そこで、登録の申請があった場合には、権限のある者によってその申請を承認するか判断させるように構成することが好ましい。例えば、申請があった場合には、権限者に対してその旨の通知があり、その通知に応じて、このシステムに対して判断結果を送信するように構成し、判断結果が肯定である場合にはその者を利用者として登録し、否定的である場合には登録を拒絶するか、あるいは、不足している情報を申請者に対して要求するように構成することが考えられる。このように構成するメリットとしては、必ずしも遺族などが故人の交友関係に詳しいと限らず、限られた人物にのみこのシステムを利用させることは故人にとっても好ましくないと考えられるからである。申請の画面には、故人との関係を示す情報の入力欄を設けることが好ましく、また故人と合わさって写された写真などをエビデンスとしてアップロードできるように構成するとよい。またＳＮＳを故人が利用していた場合には、そのＳＮＳを閉鎖しないで、そのＳＮＳの情報を参照して申請を自動判断するように構成してもよい。その際には、ＳＮＳ上で閲覧できない写真をアップロードさせ、ＳＮＳ上で交友関係にあった人の顔写真と自動照合するようにすることも考えられる。
【００４３】
実施形態１のオンラインバーチャル仏壇装置は、利用者に関する情報を事前登録するに際して、利用者識別情報を利用者に発行し、利用者に関する情報と関連付けて保持する。さらに、後述する故人情報の事前登録に際して、利用者識別情報と関連付けられた故人識別情報は、利用者識別情報保持部に利用者識別情報と関連付けて保持してもよい。
【００４４】
また、実施形態１のオンラインバーチャル仏壇装置にログインするための入力者ＩＤとパスワードを利用者に発行することが好ましい。さらに、ログイン認証において、入力者ＩＤとパスワードに加えて、実施形態１のオンラインバーチャル仏壇装置を利用しようとする者が事前登録されている利用者であることを特定する利用者識別情報の入力もまた必要である。ただしその場合、入力者ＩＤと利用者識別情報とは同一であってもよく、その場合は入力者ＩＤの入力をもって、利用者識別情報の入力としてもよい。
【００４５】
図４は、実施形態１のオンラインバーチャル仏壇装置において、入力者ＩＤ（０４０１）とパスワード（０４０２）入力前のログイン画面の一例である。また図５は、入力者ＩＤ（０５０１）とパスワード（０５０２）入力済のログイン画面の一例である。登録後の利用者が、図４のログイン画面に正しい入力者ＩＤとパスワードを入力して、図５のログイン画面とし、「ＧＯ」（０５０４）ボタンをクリックすれば、実施形態１のオンラインバーチャル仏壇装置はログイン認証する。一方、図５のログイン画面で「ＣＬＥＡＲ」（０５０３）ボタンをクリックすれば、図４のログイン画面に戻ることとしてもよい。
＜実施形態１の構成の説明：故人識別情報保持部＞
【００４６】
「故人識別情報保持部」（図２：０２０２）は、利用者識別情報と関連付けて偲ぶべき故人を特定するための故人識別情報を保持するように構成されており、例えば、メインメモリや不揮発性メモリやインターフェースなどの組み合わせによって実現することができる。
【００４７】
図６は、実施形態１のオンラインバーチャル仏壇装置において、故人に関する情報を事前に登録するための入力画面の一例である。故人に関する情報は、例えば、故人の氏名（０６０１）、故人の住所（０６０２）などの故人を特定する項目、及び利用者識別情報（０６０３）などの利用者に関する項目であるが、必要に応じて選択、又は／及び、追加されてもよく、この例に限定されるものではない。また、利用者識別情報は一以上、必要に応じて追加されてもよい。
【００４８】
実施形態１のオンラインバーチャル仏壇装置は、故人に関する情報を事前登録するに際して、故人識別情報を一以上の利用者に発行し、各々の利用者識別情報と関連付けて保持する。これにより、一の故人識別情報は一以上の利用者識別情報に関連付けて故人識別情報保持部に保持される。また、一以上の故人情報の事前登録に同一の利用者識別情報が入力される可能性があることから、一の利用者識別情報は一以上の故人識別情報に関連付けて利用者識別情報保持部に保持される。また以下の処理は、一以上の故人識別情報の各々について、順次別々に行ってもよいし、全部又は一部を一緒に合祀してもよい。
【００４９】
実施形態１のオンラインバーチャル仏壇装置は、故人識別情報に、故人の氏名を含めたものであってもよい。
＜実施形態１の構成の説明：故人回想情報取得部＞
【００５０】
「故人回想情報取得部」（図２：０２０３）は、故人識別情報と関連付けて故人識別情報にて識別される故人を偲ぶための情報である故人回想情報を取得するための機能を有し、例えば、メインメモリや不揮発性メモリやインターフェースなどの組み合わせによって実現することができる。グラフィカルユーザインターフェースとしては、例えばボタンメニューをクリックする、又は／及び、チェックボックスにチェックを入れることにより、動画や写真画像や音声ファイルや創作作品や経歴／プロフィール画像などを個別に選択する、又は／及び、それらを包含するフォルダとして取得させるような画面で構成される。
【００５１】
図７は、実施形態１のオンラインバーチャル仏壇装置において、故人識別情報（０７０１）と、故人識別情報に関連付けられた故人回想情報（０７０２）の一例である。故人回想情報は故人を回想して偲ぶための情報であるが、必要に応じて選択、又は／及び、追加されてもよく、この例に限定されるものではない。故人回想情報は、デジタルデータとしてデータベースに格納可能なものであり、故人識別情報によって読み出して再生可能なデータであることが必要であるが、その要件を満たすならばどのようなファイル形式であってもよい。なお、例えば故人が大切にしていたレコード盤などは、音声を再生することで故人を回想して偲ぶための遺品ではあるが、デジタルデータではなく、故人回想情報には含まれないことは言うまでもない。
【００５２】
図８は、実施形態１のオンラインバーチャル仏壇装置において、故人識別情報（０８０１）と、故人識別情報に関連付けられた故人回想情報を取得するための入力画面の一例である。例えば、利用者が、図８で例示した故人識別情報（０８０１）に関連する故人回想情報として、動画データ（０８０２）の内の００１、００３、・・・、ＸＸＸを選択して、その前にあるチェックボックスにチェックを入れることで、チェックの入ったそれらの動画が実施形態１のオンラインバーチャル仏壇装置において、故人回想情報として選択される。写真画像データ（０８０３）、音声ファイルデータ（０８０４）、創作作品データ（０８０５）及びその他（プロフィール）データ（０８０６）においても、動画データと同様に選択される。また、全てのデータを選択することもでき、その場合は「全て選択」（０８０７）ボタンをクリックすると、全てのチェックボックスのチェックが入り、逆に、「ＣＬＥＡＲ」（０８０８）ボタンをクリックすると、全てのチェックボックスのチェックが外される、という具合である。ここで、「ＧＯ」（０８０９）ボタンをクリックすると、選択されたデータが取得されることとしてもよい。なお、この入力画面は例示に過ぎず、この例に限定されるものではない。
＜実施形態１の構成の説明：故人回想情報保持部＞
【００５３】
「故人回想情報保持部」（図２：０２０４）は、取得した故人回想情報と故人識別情報とを関連付けて保持するように構成されており、例えば、メインメモリや不揮発性メモリやインターフェースなどの組み合わせによって実現することができる。
【００５４】
実施形態１のオンラインバーチャル仏壇装置は、前述の故人回想情報取得部にて取得した故人回想情報を、新規に又は既存の故人回想情報に追加して、故人識別情報と関連付けて保持する。
＜実施形態１の構成の説明：故人回想出力要求取得部＞
【００５５】
「故人回想出力要求取得部」（図２：０２０５）は、利用者識別情報と、故人識別情報と、に関連付けて故人の回想のための出力の要求である故人回想出力要求を取得するための機能を有し、例えば、メインメモリや不揮発性メモリやインターフェースなどの組み合わせによって実現することができる。グラフィカルユーザインターフェースとしては、例えばボタンメニューをクリックする、又は／及び、チェックボックスにチェックを入れることにより、動画や写真画像や音声ファイルや創作作品や経歴／プロフィール画像などを選択する、及び、それらの出力順番を取得させるような画面で構成される。
【００５６】
図９は、実施形態１のオンラインバーチャル仏壇装置において、故人識別情報と関連付けられた故人回想情報の内、選択された情報を出力要求する故人回想出力要求の入力画面（情報選択）の一例である。例えば、利用者が、図９で例示した故人識別情報（０９０１）に関連する故人回想情報として、不揮発性メモリ内に保持されている動画データ（０９０２）の００１、００３、・・・、ＸＸＸの内の００１と００３を選択して、その前にあるチェックボックスにチェックを入れることで、チェックの入ったそれらの動画が実施形態１のオンラインバーチャル仏壇装置において、故人回想情報として選択される。写真画像データ（０９０３）、音声ファイルデータ（０９０４）、創作作品データ（０９０５）及びその他（プロフィール）データ（０９０６）においても、動画データと同様に選択される。また、全てのデータを選択することもでき、その場合は「全て選択」（０９０７）ボタンをクリックすると、全てのチェックボックスのチェックが入り、逆に、「ＣＬＥＡＲ」（０９０８）ボタンをクリックすると、全てのチェックボックスのチェックが外される、という具合である。ここで、「ＧＯ」（０９０９）ボタンをクリックすると、選択されたデータが出力要求されることとしてもよい。なお、この出力要求画面は例示に過ぎず、この例に限定されるものではない。
【００５７】
図１０は、実施形態１のオンラインバーチャル仏壇装置において、故人回想出力要求が、故人回想情報及び後述する故人回想随伴情報を合わせて、情報の選択だけでなく、出力される順番を決めて、複数の写真や動画などをスライドショー形式に構成されたストーリーとすることを要求する故人回想出力要求の入力画面（出力順番）の一例である。利用者の気持ちに沿って絞り込む、又は／及び、追加されてもよく、この例に限定されるものではない。また、例えばＩｎｓｔａｇｒａｍ（登録商標）のような構成をもち、ストーリーを保存したり、以前に作成したストーリーからハイライトを作成したりできるものとしてもよい。なお、故人回想出力要求は、この明細書では説明の簡明化のために情報選択の図９と出力順番の図１０に分けて例示したが、情報選択と出力順番を関連付けて一本化した故人回想出力要求であってもよい。
＜実施形態１の構成の説明：故人回想随伴情報保持部＞
【００５８】
「故人回想随伴情報保持部」（図２：０２０６）は、受け付けた故人回想出力要求に応じて故人回想情報と合わせて出力すべき仏壇映像を少なくとも含む故人回想随伴情報を保持するように構成されており、例えば、メインメモリや不揮発性メモリやインターフェースなどの組み合わせによって実現することができる。
【００５９】
図１１は、実施形態１のオンラインバーチャル仏壇装置において、故人識別情報（１１０１）と関連付けられた故人回想随伴情報（１１０２）の一例である。故人回想随伴情報は故人を偲んで供養するための情報であり、例えば仏壇の基本映像と、仏壇に配置される故人の位牌や遺影や供花や焼香や仏具等の映像、読み上げるお経や説教の音声ファイルなどであるが、必要に応じて選択、又は／及び、追加されてもよく、この例に限定されるものではない。
＜実施形態１の構成の説明：故人回想出力部＞
【００６０】
「故人回想出力部」（図２：０２０７）は、受け付けた故人回想出力要求に応じて故人回想情報又は／及び故人回想随伴情報を出力するための機能を有し、例えば、メインメモリや不揮発性メモリやインターフェースなどの組み合わせによって実現することができる。
【００６１】
故人回想情報又は／及び故人回想随伴情報の情報選択と出力順番を関連付けた故人回想出力要求に応じて、順次または一緒に故人回想情報又は／及び故人回想随伴情報を出力する。故人回想出力要求としてストーリー構成されたスライドショー形式で出力することが好ましい。
＜実施形態１のハードウェア構成＞
【００６２】
図１２は、実施形態１のオンラインバーチャル仏壇装置において、ハードウェア構成図の一例を表す図である。この図を利用して実施形態１のオンラインバーチャル仏壇装置において、それぞれのハードウェア構成部の働きについて説明する。実施形態１のオンラインバーチャル仏壇装置において、利用者識別情報保持部、故人識別情報保持部、故人回想情報取得部、故人回想情報保持部、故人回想出力要求取得部、故人回想随伴情報保持部、故人回想出力部は、以下のようなハードウェアとプログラムで構成される。この図にあるように、ＣＰＵ（中央演算装置）（１２０１）と、メインメモリ（１２０２）と、キーボードやディスプレイや通信バスやマウスなどのインターフェース（１２０３）と、ハードディスクなどの不揮発性メモリ（１２０４）と、を備えている。そしてそれらがシステムバスなどのデータ通信経路によって相互に接続され、情報の送受信や処理を行う。
【００６３】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【００６４】
ＣＰＵは、利用者識別情報保持プログラム（１２０５）を実行し、既に不揮発性メモリに格納されている利用者識別情報（１２２４）をメインメモリのデータ領域の利用者識別情報（１２１２）に読み出す。
【００６５】
そして、ＣＰＵは、故人識別情報保持プログラム（１２０６）を実行し、メインメモリのデータ領域の利用者識別情報と関連付けられた、一以上の既に不揮発性メモリに格納されている故人識別情報（１２２５）をメインメモリのデータ領域の故人識別情報（１２１３）に読み出す。また以下の処理は、一以上の故人識別情報の各々について、順次別々に行ってもよいし、全部又は一部を一緒に合祀してもよい。
【００６６】
そして、ＣＰＵは、故人回想情報取得プログラム（１２０７）を実行し、インターフェースを介して入力された故人回想情報を故人識別情報と関連付けて取得し、メインメモリのデータ領域の故人回想情報（１２１４）に格納する。次いで、既に不揮発性メモリに格納されている故人識別情報と関連付けられた故人回想情報（１２２６）が有ればそれに追加し、無ければ故人識別情報と関連付けられた新規の故人回想情報（１２２６）として不揮発性メモリに格納する。
【００６７】
そして、ＣＰＵは、故人回想情報保持プログラム（１２０８）を実行し、既に不揮発性メモリに格納されている故人識別情報と関連付けられた故人回想情報（１２２６）をメインメモリのデータ領域の故人回想情報（１２１４）に読み出す。
【００６８】
そして、ＣＰＵは、故人回想出力要求取得プログラム（１２０９）を実行し、インターフェースを介して入力された故人回想出力要求（故人識別情報を含む）を取得し、故人識別情報に関連付けて、メインメモリのデータ領域の故人回想出力要求（１２１５）に格納する。次いで、既に不揮発性メモリに格納されている故人識別情報と関連付けられた故人回想出力要求（１２２７）が有ればそれを更新し、無ければ故人識別情報と関連付けられた新規の故人回想出力要求（１２２７）として不揮発性メモリに格納する。
【００６９】
そして、ＣＰＵは、故人回想随伴情報保持プログラム（１２１０）を実行し、既にメインメモリのデータ領域に読み出されている故人識別情報（１２１３）と関連付けられた故人回想随伴情報（１２２８）をメインメモリのデータ領域の故人回想随伴情報（１２１６）に読み出す。
【００７０】
そして、ＣＰＵは、故人回想出力プログラム（１２１１）を実行し、既にメインメモリのデータ領域に読み出されている故人識別情報（１２１３）と関連付けられた故人回想情報（１２１４）及び故人回想随伴情報（１２１６）をメインメモリのデータ領域の故人回想出力要求（１２１５）に従って、図示しない利用者のパソコン画面やスマホ画面などに出力する。
＜実施形態１の処理の流れ＞
【００７１】
図１３は、実施形態１のオンラインバーチャル仏壇装置において、処理の流れの一例を表すフローチャートである。なお、以下に示すステップは、媒体に記録され計算機を制御するためのプログラムを構成する処理ステップであっても構わない。
【００７２】
まず、利用者識別情報の読み出しステップとして、ログイン認証に関連付けられた利用者識別情報を読み出す（S１３０１）。
【００７３】
次に、故人識別情報の読み出しステップとして、利用者識別情報に関連付けられた一以上の故人識別情報を読み出し、S１３０４に行く（S１３０２）。また以下の処理は、一以上の故人識別情報の各々について、順次別々に行ってもよいし、全部又は一部を一緒に合祀してもよい。
【００７４】
また別途、故人回想情報の取得ステップとして、インターフェースを介して入力された故人識別情報に関連付けられた故人回想情報を取得し、新規に又は既存の故人回想情報に追加して格納する（S１３０３）。
【００７５】
次に、故人回想情報の読み出しステップとして、故人識別情報に関連付けられた故人回想情報を読み出す（S１３０４）。
【００７６】
次に、故人回想随伴情報の読み出しステップとして、故人識別情報に関連付けられた故人回想随伴情報を読み出す（S１３０５）。
【００７７】
次に、故人回想要求の取得ステップとして、インターフェースを介して入力された故人識別情報に関連付けられた故人回想出力要求を取得し、新規に又は既存の故人回想出力要求を更新して格納する（S１３０６）。
【００７８】
次に、故人回想情報及び故人回想随伴情報の出力ステップとして、故人回想要求に応じて、故人回想情報又は／及び故人回想随伴情報を、利用者のパソコン画面やスマホ画面などに出力する（S１３０７）。
＜実施形態１の効果の簡単な説明＞
【００７９】
以上のような構成をとる本発明によって、実物の仏壇設置を前提とせず、オンラインによる音声映像技術を用いたオンラインバーチャル仏壇装置及び故人を回想する写真や音声や映像などを組み合わせて、利用者のパソコンやスマホなどの画面に映し出すことにより、リアリティを伴っていつでもどこからでも故人を偲んで供養することが可能となる。
＜実施形態２＞
＜実施形態２の概要＞
【００８０】
実施形態２は、上記実施形態１を基本として、故人回想出力要求取得部にて取得した利用者識別情報と故人識別情報とが関連付けられて故人識別情報保持部に保持されているか判断する故人回想出力要求判断部と、故人回想出力要求判断部での判断結果が保持されているとの判断結果である場合にのみ故人回想出力部からの出力を行うように制御する制御部と、をさらに有することを特徴とするオンラインバーチャル仏壇装置である。
＜実施形態２の構成＞
【００８１】
図１４は、実施形態２のオンラインバーチャル仏壇装置において、機能ブロック図の一例を表す図である。この図に例示するように、実施形態２のオンラインバーチャル仏壇装置（１４００）は、利用者識別情報保持部（１４０１）と、故人識別情報保持部（１４０２）と、故人回想情報取得部（１４０３）と、故人回想情報保持部（１４０４）と、故人回想出力要求取得部（１４０５）と、故人回想随伴情報保持部（１４０６）と、故人回想出力部（１４０７）と、を有し、故人回想出力要求判断部（１４０８）と、制御部（１４０８）と、をさらに有している。
【００８２】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１にて既に記載済みであるのでその説明は省略する。実施形態２の特徴点である故人回想出力要求判断部と制御部について、以下説明する。
＜実施形態２の構成の説明：故人回想出力要求判断部＞
【００８３】
「故人回想出力要求判断部」（１４０８）は、上記実施形態１を基本として、さらに、故人回想出力要求取得部にて取得した利用者識別情報と故人識別情報とが関連付けられて故人識別情報保持部に保持されているか判断する機能を有し、例えば、メインメモリや不揮発性メモリやインターフェースなどの組み合わせによって実現することができる。
【００８４】
実施形態２のオンラインバーチャル仏壇装置において、ログイン認証において、入力された利用者識別情報が、故人識別情報保持部において、故人回想出力要求に含まれる故人識別情報と関連付けられている一以上の利用者識別情報に含まれるか否かを判断し、判断結果を得る。
＜実施形態２の構成の説明：制御部＞
【００８５】
「制御部」（１４０９）は、上記実施形態１を基本として、さらに、故人回想出力要求判断部での判断結果が保持されているとの判断結果である場合にのみ故人回想出力部からの出力を行うように制御する機能を有し、例えば、メインメモリや不揮発性メモリやインターフェースなどの組み合わせによって実現することができる。
【００８６】
故人回想出力要求判断部において、故人識別情報と利用者識別情報が、故人識別情報保持部において関連付けて保持されているとの判断結果である場合は、故人回想出力要求が適格であり、故人回想出力部からの出力を行うように制御する。逆に、関連付けて保持されているとの判断結果でない場合は、故人回想出力要求が欠格であり、故人回想出力部からの出力を行わないように制御する。また、出力要求で識別される利用者識別情報に応じて出力可能な故人回想情報を関連付けて保持してもよい。例えば家族内でプライベートな情報は利用者識別情報が家族のものである場合にのみ出力又は選択可能とし、プライベートな度合いに応じて関連付けられた利用者に出力可能に構成することが考えられる。また、出力可能な故人回想情報を格付けて、その格付けに利用者識別情報を関連付けておくことで出力可能な故人回想情報を制御するように構成してもよい。
＜実施形態２のハードウェア構成＞
【００８７】
図１５は、実施形態２のオンラインバーチャル仏壇装置において、ハードウェア構成図の一例を表す図である。この図を利用して実施形態２のオンラインバーチャル仏壇装置において、それぞれのハードウェア構成部の働きについて説明する。実施形態１のオンラインバーチャル仏壇装置を基本として、故人回想出力要求判断部と制御部は、以下のようなハードウェアとプログラムで構成される。この図にあるように、ＣＰＵ（中央演算装置）（１５０１）と、メインメモリ（１５０２）と、キーボードやディスプレイや通信バスやマウスなどのインターフェース（１５０３）と、ハードディスクなどの不揮発性メモリ（１５０４）と、を備えている。そしてそれらがシステムバスなどのデータ通信経路によって相互に接続され、情報の送受信や処理を行う。
【００８８】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【００８９】
ＣＰＵは、故人回想出力要求判断プログラム（１５１２）を実行し、メインメモリのデータ領域の故人回想出力要求（１５１７）に含まれる故人識別情報により、不揮発性メモリに格納されている故人識別情報（１５３０）をメインメモリのデータ領域の故人識別情報（１５１５）に読み出して、その故人識別情報と関連付けられている一以上の利用者識別情報を読み出す。実施形態２のオンラインバーチャル仏壇装置において、ログイン認証において、インターフェースを介して入力された利用者識別情報が、故人識別情報と関連付けられている一以上の利用者識別情報に含まれるか否かを判断する。例えば、判断結果を「正」又は「誤」としてもよく、メインメモリのデータ領域の判断結果（１５１９）、又は／及び、不揮発性メモリの判断結果（１５３４）のそれぞれ特定のアドレスに格納する。
【００９０】
そして、ＣＰＵは、制御プログラム（１５１３）を実行し、メインメモリのデータ領域にある判断結果が「正」である場合は、故人回想出力要求が適格であり、故人回想出力部からの出力を行うように制御する。逆に、判断結果が「誤」である場合は、故人回想出力要求が欠格であり、故人回想出力部からの出力を行わないように制御する。
＜実施形態２の処理の流れ＞
【００９１】
図１６は、実施形態２のオンラインバーチャル仏壇装置において、処理の流れの一例を表すフローチャートである。なお、以下に示すステップは、媒体に記録され計算機を制御するためのプログラムを構成する処理ステップであっても構わない。
【００９２】
まず、利用者識別情報の読み出しステップとして、ログイン認証に関連付けられた利用者識別情報を読み出す（S１６０１）。
【００９３】
次に、故人識別情報の読み出しステップとして、利用者識別情報に関連付けられた一以上の故人識別情報を読み出し、S１６０４に行く（S１６０２）。また以下の処理は、一以上の故人識別情報の各々について、順次別々に行ってもよいし、全部又は一部を一緒に合祀してもよい。
【００９４】
また別途、故人回想情報の取得ステップとして、インターフェースを介して入力された故人識別情報に関連付けられた故人回想情報を取得し、新規に又は既存の故人回想情報に追加して格納する（S１６０３）。
【００９５】
次に、故人回想情報の読み出しステップとして、故人識別情報に関連付けられた故人回想情報を読み出す（S１６０４）。
【００９６】
次に、故人回想随伴情報の読み出しステップとして、故人識別情報に関連付けられた故人回想随伴情報を読み出す（S１６０５）。
【００９７】
次に、故人回想要求の取得ステップとして、インターフェースを介して入力された故人識別情報に関連付けられた故人回想出力要求を取得し、新規に又は既存の故人回想出力要求を更新して格納する（S１６０６）。
【００９８】
次に、利用者識別情報と故人識別情報の関連付け判断ステップとして、インターフェースを介して入力された故人回想出力要求に含まれる故人識別情報と利用者識別情報が関連付けられているか否かを判断する（S１６０７）
【００９９】
ここで、制御ステップとして、判断結果が「正」の場合はS１６０９に行き、「誤」の場合は終了する（S１６０８）
【０１００】
次に、故人回想情報及び故人回想随伴情報の出力ステップとして、故人回想要求に応じて、故人回想情報又は／及び故人回想随伴情報を、利用者のパソコン画面やスマホ画面などに出力する（S１６０９）。
＜実施形態２の効果の簡単な説明＞
【０１０１】
以上のような構成をとる本発明によって、故人に関する情報が、誤った利用者に開示される誤用を防止することが可能となる。
＜実施形態３＞
＜実施形態３の概要＞
【０１０２】
実施形態３は、上記実施形態１又は実施形態２を基本として、故人回想随伴情報保持部は、故人回想随伴情報を利用者識別情報に応じて保持する利用者別故人随伴情報保持手段を有し、故人回想出力部は、故人回想出力要求取得部にて取得した故人回想出力要求に関連付けられている利用者識別情報に関連付けられている故人回想随伴情報を出力する利用者別故人回想出力手段を、さらに有することを特徴とするオンラインバーチャル仏壇装置である。
【０１０３】
前述のように、一の故人識別情報は一以上の利用者識別情報に関連付けて故人識別情報保持部に保持されている。そして、故人とその故人を偲んで供養する利用者の関係は、利用者によって差異がある。例えば、故人と利用者が一緒に写った写真において、その写真に入っていない利用者からみれば、必ずしも故人を偲ぶためには必要ないかもしれない。そこで、利用者識別情報に応じて、故人回想随伴情報及び故人回想出力要求で利用する情報を選別する手段を有する、という具合である。
＜実施形態３の構成＞
【０１０４】
図１７は、実施形態３のオンラインバーチャル仏壇装置において、機能ブロック図の一例を表す図である。この図に例示するように、実施形態３のオンラインバーチャル仏壇装置（１７００）は、利用者識別情報保持部（１７０１）と、故人識別情報保持部（１７０２）と、故人回想情報取得部（１７０３）と、故人回想情報保持部（１７０４）と、故人回想出力要求取得部（１７０５）と、故人回想随伴情報保持部（１７０６）と、故人回想出力部（１７０７）と、を有し、故人回想随伴情報保持部の内に利用者別故人随伴情報保持手段と、故人回想出力部の内に利用者別故人回想出力手段と、をさらに有している。
【０１０５】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１にて既に記載済みであるのでその説明は省略する。実施形態３の特徴点である利用者別故人随伴情報保持手段と利用者別故人回想出力手段について、以下説明する。
＜実施形態３の構成の説明：利用者別故人随伴情報保持手段＞
【０１０６】
「利用者別故人随伴情報保持手段」は、上記実施形態１又は実施形態２を基本として、さらに、故人回想随伴情報保持部は、故人回想随伴情報を利用者識別情報に応じて保持するように構成されており、例えば、メインメモリや不揮発性メモリやインターフェースなどの組み合わせによって実現することができる。
【０１０７】
図１８は、実施形態３のオンラインバーチャル仏壇装置において、利用者識別情報及び故人識別情報と関連付けられた故人回想随伴情報の一例である。このように、故人回想随伴情報を故人識別情報に加えて、利用者識別情報とも関連付けることにより、利用者の心に沿ったきめ細やかな故人の供養ができる。
＜実施形態３の構成の説明：利用者別故人回想出力手段＞
【０１０８】
「利用者別故人回想出力手段」は、上記実施形態１又は実施形態２を基本として、さらに、故人回想出力部は、故人回想出力要求取得部にて取得した故人回想出力要求に関連付けられている利用者識別情報に関連付けられている故人回想随伴情報を出力する利用者別故人回想出力手段を有するように構成されており、例えば、メインメモリや不揮発性メモリやインターフェースなどの組み合わせによって実現することができる。
【０１０９】
図１９は、実施形態３のオンラインバーチャル仏壇装置において、故人識別情報と関連付けられた故人回想情報の内、利用者識別情報別に選択された情報を出力要求する故人回想出力要求の入力画面（情報選択）の一例である。図２０は、実施形態３のオンラインバーチャル仏壇装置において、故人回想出力要求が、故人回想情報及び後述する故人回想随伴情報を合わせて、情報の選択だけでなく、利用者識別情報別に出力される順番を決めて、複数の写真や動画などをスライドショー形式に構成されたストーリーとすることを要求する故人回想出力要求の入力画面（出力順番）の一例である。このように、故人回想出力要求を故人識別情報に加えて、利用者識別情報とも関連付けることにより、利用者の心に沿ったきめ細やかな故人の供養ができる。
＜実施形態３のハードウェア構成＞
【０１１０】
図２１は、実施形態３のオンラインバーチャル仏壇装置において、ハードウェア構成図の一例を表す図である。この図を利用して実施形態３のオンラインバーチャル仏壇装置において、それぞれのハードウェア構成部の働きについて説明する。実施形態１又は実施形態２のオンラインバーチャル仏壇装置を基本として、利用者別故人随伴情報保持手段と利用者別故人回想出力手段は、以下のようなハードウェアとプログラムで構成される。この図にあるように、ＣＰＵ（中央演算装置）（２１０１）と、メインメモリ（２１０２）と、キーボードやディスプレイや通信バスやマウスなどのインターフェース（２１０３）と、ハードディスクなどの不揮発性メモリ（２１０４）と、を備えている。そしてそれらがシステムバスなどのデータ通信経路によって相互に接続され、情報の送受信や処理を行う。
【０１１１】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０１１２】
ＣＰＵは、故人回想随伴情報保持プログラム（２１１０）を実行し、さらに、利用者別故人回想随伴情報保持サブプログラム（２１１２）を実行し、事前に不揮発性メモリに格納されている利用者識別情報（２１１４）及び故人識別情報（２１１５）と関連付けられた故人回想随伴情報（２１３２）をメインメモリのデータ領域の故人回想随伴情報（２１１８）に読み出す。
【０１１３】
そして、ＣＰＵは、故人回想出力プログラム（２１１１）を実行し、さらに、利用者別故人回想出力サブプログラム（２１１３）を実行し、既にメインメモリのデータ領域に読み出されている利用者識別情報（２１１４）及び故人識別情報（２１１５）と関連付けられた故人回想情報（２１１６）及び故人回想随伴情報（２１１８）をメインメモリのデータ領域の故人回想出力要求（２１１７）に従って、図示しない利用者のパソコン画面やスマホ画面などに出力する。
＜実施形態３の処理の流れ＞
【０１１４】
図２２は、実施形態３のオンラインバーチャル仏壇装置において、処理の流れの一例を表すフローチャートである。なお、以下に示すステップは、媒体に記録され計算機を制御するためのプログラムを構成する処理ステップであっても構わない。
【０１１５】
まず、利用者識別情報の読み出しステップとして、ログイン認証に関連付けられた利用者識別情報を読み出す（S２２０１）。
【０１１６】
次に、故人識別情報の読み出しステップとして、利用者識別情報に関連付けられた一以上の故人識別情報を読み出し、S２２０４に行く（S２２０２）。また以下の処理は、一以上の故人識別情報の各々について、順次別々に行ってもよいし、全部又は一部を一緒に合祀してもよい。
【０１１７】
また別途、故人回想情報の取得ステップとして、インターフェースを介して入力された故人識別情報に関連付けられた故人回想情報を取得し、新規に又は既存の故人回想情報に追加して格納する（S２２０３）。
【０１１８】
次に、故人回想情報の読み出しステップとして、故人識別情報に関連付けられた故人回想情報を読み出す（S２２０４）。
【０１１９】
次に、故人回想随伴情報の読み出しステップとして、故人識別情報に関連付けられた故人回想随伴情報を読み出す。ここで、故人回想随伴情報を、利用者識別情報と関連付けられた故人回想随伴情報とする、ことを実現する利用者別故人回想随伴情報の読み出しサブステップを含んでいる（S２２０５）。
【０１２０】
次に、故人回想要求の取得ステップとして、インターフェースを介して入力された故人識別情報に関連付けられた故人回想出力要求を取得し、新規に又は既存の故人回想出力要求を更新して格納する（S２２０６）。
【０１２１】
次に、故人回想情報及び故人回想随伴情報の出力ステップとして、故人回想要求に応じて、故人回想情報又は／及び故人回想随伴情報を、利用者のパソコン画面やスマホ画面などに出力する。ここで、故人回想要求を、利用者識別情報と関連付けられた故人回想要求とする、ことを実現する利用者別故人回想情報及び故人回想随伴情報の出力サブステップを含んでいる（S２２０７）。
＜実施形態３の効果の簡単な説明＞
【０１２２】
以上のような構成をとる本発明によって、故人回想随伴情報を含む故人回想出力要求を故人識別情報に加えて、利用者識別情報とも関連付けることにより、利用者の心に沿ったきめ細やかな故人の供養ができる。
＜実施形態４＞
＜実施形態４の概要＞
【０１２３】
実施形態４は、上記実施形態１から実施形態３を基本として、故人回想出力部の出力履歴である故人回想出力履歴をその出力を要求した利用者識別情報と関連付けて保持する故人回想出力履歴保持部と、保持されている故人回想出力履歴を出力する故人回想出力履歴出力部と、をさらに有することを特徴とするオンラインバーチャル仏壇装置である。
＜実施形態４の構成＞
【０１２４】
図２３は、実施形態４のオンラインバーチャル仏壇装置において、機能ブロック図の一例を表す図である。この図に例示するように、実施形態４のオンラインバーチャル仏壇装置（２３００）は、利用者識別情報保持部（２３０１）と、故人識別情報保持部（２３０２）と、故人回想情報取得部（２３０３）と、故人回想情報保持部（２３０４）と、故人回想出力要求取得部（２３０５）と、故人回想随伴情報保持部（２３０６）と、故人回想出力部（２３０７）と、を有し、故人回想出力履歴保持部（２３１０）と、故人回想出力履歴出力部（２３１１）と、をさらに有している。
【０１２５】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１から実施形態３にて既に記載済みであるのでその説明は省略する。実施形態４の特徴点である故人回想出力履歴保持部と故人回想出力履歴出力部について、以下説明する。
＜実施形態４の構成の説明：故人回想出力履歴保持部＞
【０１２６】
「故人回想出力履歴保持部」（２３１０）は、上記実施形態１から実施形態３を基本として、さらに、故人回想出力部の出力履歴である故人回想出力履歴をその出力を要求した利用者識別情報と関連付けて保持するように構成されており、例えば、メインメモリや不揮発性メモリやインターフェースなどの組み合わせによって実現することができる。故人回想出力履歴としては、利用者識別情報と故人識別情報に関連付けられた回想した日付である回想日付などがある。
＜実施形態４の構成の説明：故人回想出力履歴出力部＞
【０１２７】
「故人回想出力履歴出力部」は、上記実施形態１から実施形態３を基本として、さらに、保持されている故人回想出力履歴を出力するための機能を有し、例えば、メインメモリや不揮発性メモリやインターフェースなどの組み合わせによって実現することができる。
＜実施形態４のハードウェア構成＞
【０１２８】
図２４は、実施形態４のオンラインバーチャル仏壇装置において、ハードウェア構成図の一例を表す図である。この図を利用して実施形態４のオンラインバーチャル仏壇装置において、それぞれのハードウェア構成部の働きについて説明する。実施形態１から実施形態３のオンラインバーチャル仏壇装置を基本として、故人回想出力履歴保持部と故人回想出力履歴出力部は、以下のようなハードウェアとプログラムで構成される。この図にあるように、ＣＰＵ（中央演算装置）（２４０１）と、メインメモリ（２４０２）と、キーボードやディスプレイや通信バスやマウスなどのインターフェース（２４０３）と、ハードディスクなどの不揮発性メモリ（２４０４）と、を備えている。そしてそれらがシステムバスなどのデータ通信経路によって相互に接続され、情報の送受信や処理を行う。
【０１２９】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０１３０】
ＣＰＵは、故人回想出力履歴保持プログラム（２４１２）を実行し、故人回想出力プログラム（２４１１）が実行された日付を、回想日付として、利用者識別情報及び故人識別情報に関連付けて、メインメモリのデータ領域の故人回想出力履歴（２４１９）に格納する。次いで、既に不揮発性メモリに格納されている利用者識別情報及び故人識別情報と関連付けられた故人回想出力履歴（２４３４）が有ればそれに追加し、無ければ利用者識別情報及び故人識別情報と関連付けられた新規の故人回想出力履歴（２４３４）として不揮発性メモリに格納する。
【０１３１】
そして、ＣＰＵは、故人回想出力履歴出力プログラム（２４１３）を実行し、不揮発性メモリに格納されている故人回想出力履歴（２４３４）から、メインメモリのデータ領域にある利用者識別情報（２４１４）と故人識別情報（２４１５）と関連付けられた故人回想出力履歴（２４１９）をメインメモリのデータ領域に読み出す。利用者識別情報（２５０１）と故人識別情報（２５０２）と関連付けられた故人回想出力履歴の回想日付（２５０４）などに日付順の連番（２５０３）を付して、図示しない利用者のパソコン画面やスマホ画面などに出力する。図２５は、実施形態４のオンラインバーチャル仏壇装置において、故人回想出力履歴の出力画面の一例である。この出力画面は例示に過ぎず、必要に応じて選択、又は／及び、追加されてもよく、この例に限定されるものではない。
＜実施形態４の処理の流れ＞
【０１３２】
図２６は、実施形態４のオンラインバーチャル仏壇装置において、処理の流れの一例を表すフローチャートである。なお、以下に示すステップは、媒体に記録され計算機を制御するためのプログラムを構成する処理ステップであっても構わない。
【０１３３】
まず、利用者識別情報の読み出しステップとして、ログイン認証に関連付けられた利用者識別情報を読み出す（S２６０１）。
【０１３４】
次に、故人識別情報の読み出しステップとして、利用者識別情報に関連付けられた一以上の故人識別情報を読み出し、S２６０４に行く（S２６０２）。また以下の処理は、一以上の故人識別情報の各々について、順次別々に行ってもよいし、全部又は一部を一緒に合祀してもよい。
【０１３５】
また別途、故人回想情報の取得ステップとして、インターフェースを介して入力された故人識別情報に関連付けられた故人回想情報を取得し、新規に又は既存の故人回想情報に追加して格納する（S２６０３）。
【０１３６】
次に、故人回想情報の読み出しステップとして、故人識別情報に関連付けられた故人回想情報を読み出す（S２６０４）。
【０１３７】
次に、故人回想随伴情報の読み出しステップとして、故人識別情報に関連付けられた故人回想随伴情報を読み出す（S２６０５）。
【０１３８】
次に、故人回想要求の取得ステップとして、インターフェースを介して入力された故人識別情報に関連付けられた故人回想出力要求を取得し、新規に又は既存の故人回想出力要求を更新して格納する（S２６０６）。
【０１３９】
次に、故人回想情報及び故人回想随伴情報の出力ステップとして、故人回想要求に応じて、故人回想情報又は／及び故人回想随伴情報を、利用者のパソコン画面やスマホ画面などに出力する。（S２６０７）。
【０１４０】
次に、故人回想出力履歴の記録ステップとして、故人回想情報及び故人回想随伴情報の出力ステップが実行された日付を、回想日付として、新規に又は既存の故人回想出力要求を追加して格納する（S２６０８）。
【０１４１】
次に、故人回想出力履歴の出力ステップとして、インターフェースを介して入力された故人回想出力履歴の出力要求に応じて、故人回想出力履歴を、利用者のパソコン画面やスマホ画面などに出力する。（S２６０９）。
＜実施形態４の効果の簡単な説明＞
【０１４２】
以上のような構成をとる本発明によって、利用者識別情報及び故人識別情報と関連付けられた故人回想出力履歴を出力することができる。
＜実施形態５＞
＜実施形態５の概要＞
【０１４３】
実施形態５は、上記実施形態１から実施形態４を基本として、利用者識別情報と、これに関連付けられている故人識別情報とに関連付けて通貨を利用した御香料又は御香料類似の送金・着金するためのクレジット機能部をさらに有することを特徴とするオンラインバーチャル仏壇装置である。
＜実施形態５の構成＞
【０１４４】
図２７は、実施形態５のオンラインバーチャル仏壇装置において、機能ブロック図の一例を表す図である。この図に例示するように、実施形態５のオンラインバーチャル仏壇装置（２７００）は、利用者識別情報保持部（２７０１）と、故人識別情報保持部（２７０２）と、故人回想情報取得部（２７０３）と、故人回想情報保持部（２７０４）と、故人回想出力要求取得部（２７０５）と、故人回想随伴情報保持部（２７０６）と、故人回想出力部（２７０７）と、を有し、クレジット機能部（２７１２）をさらに有している。
【０１４５】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１から実施形態４にて既に記載済みであるのでその説明は省略する。実施形態５の特徴点であるクレジット機能部について、以下説明する。
＜実施形態５の構成の説明：クレジット機能部＞
【０１４６】
「クレジット機能部」（２７１２）は、上記実施形態１から実施形態４を基本として、さらに、利用者識別情報と、これに関連付けられている故人識別情報とに関連付けて通貨を利用した御香料又は御香料類似の送金・着金するためのクレジット機能を有し、例えば、メインメモリや不揮発性メモリやインターフェースなどの組み合わせによって実現することができる。
【０１４７】
故人の供養に伴い、御香料又は御香料類似の送金をすることがある。ここで、御香料又は御香料類似とは、宗教宗派や葬儀からの経過によって、御香料、御香典、御仏前、御霊前などと名称が異なるものを総称するものとする。そのような送金において、引出口座から振込先口座への御香料又は御香料類似の送金を指示する、という具合である。一方逆に、振込先口座は、故人識別情報で識別される個人（親族等の代表者）において所有され、このような送金を受け付けて、送金者と着金日と着金額などを管理する、という具合である。具体的な送金においては、クレジット番号の入力、暗証番号の入力、またさらに、個人識別コード、セキュリティーコード、などの入力を促し、金額の入力を促して、実行ボタンを押下させ、実行ボタンの押下に伴ってクレジットを利用した送金処理を実行させるというものである。また、例えばＰａｙＰａｌ（登録商標）のような構成をもち、メールアドレスとクレジットカード情報とパスワードをペイパル口座に事前登録しておくことで、送金相手にクレジットカード情報を晒すリスク無しで、送金相手のペイパル口座であるメールアドレスを指定して、振り込むものとしてもよい。またこの場合には、供養している故人が単独である場合には自動的にその故人に関連付けられている親族などの代表者に送金されるように構成されることが好ましく、この観点から送金対象となる利用者識別情報を予め登録しておくことが好ましい。さらに供養している故人が複数の場合（一つの仏壇で複数人数の供養を行っている場合など）には、どの故人に対応する個人（親族等の代表者）に対して送金するかの識別情報を入力させるように構成してもよい。この場合には対象となる故人識別情報の入力を受付けて、受け付けた故人識別情報で識別される個人（親族等の代表者）の送金対象となる親族などの利用者識別情報に関連付けられている送金先に対して送金処理を実行する。なお送金処理は為替で行うのが好ましいので送金対象となる利用者識別情報で識別される利用者の送金先銀行口座も情報として登録されて、利用されるように構成する。さらには、このシステムの利用料が発生する場合には、銀行への送金でなく、例えばチケットやポイントなどとしてそのお布施の全部又は一部をシステム運用者に送金するように構成してもよい。送金先をシステム運用者とするか、それとも故人の親族等を代表する利用者とするかは、利用者が予め設定できるように構成する。さらに送金先をそのお布施の受領日、お布施の額、又は所定期間内に受け取るお布施の総額などを基準として判断するように構成してもよい。例えばお布施の総額がシステム利用料を超過した場合には、その超過分を、親族等を代表する利用者の銀行口座に振り込むように構成し、システム利用料に満たない場合にはシステム運用者の銀行口座に振り込むように構成するなどである。
＜実施形態５のハードウェア構成＞
【０１４８】
図２８は、実施形態５のオンラインバーチャル仏壇装置において、ハードウェア構成図の一例を表す図である。この図を利用して実施形態５のオンラインバーチャル仏壇装置において、それぞれのハードウェア構成部の働きについて説明する。実施形態１から実施形態４のオンラインバーチャル仏壇装置を基本として、クレジット機能部は、以下のようなハードウェアとプログラムで構成される。この図にあるように、ＣＰＵ（中央演算装置）（２８０１）と、メインメモリ（２８０２）と、キーボードやディスプレイや通信バスやマウスなどのインターフェース（２８０３）と、ハードディスクなどの不揮発性メモリ（２８０４）と、を備えている。そしてそれらがシステムバスなどのデータ通信経路によって相互に接続され、情報の送受信や処理を行う。
【０１４９】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０１５０】
ＣＰＵは、クレジット機能プログラム（２８１２）を実行し、不揮発性メモリに格納されている御香料等履歴（２８３２）から、メインメモリのデータ領域にある利用者識別情報（２８１３）及び故人識別情報（２８１４）に関連付けられるメインメモリのデータ領域に御香料等履歴（２８１８）を読み出し、図示しない利用者のパソコン画面やスマホ画面などに出力する。図２９は、実施形態５のオンラインバーチャル仏壇装置において、御香料等履歴の出力画面の一例である。この例のように、前述の故人回想出力履歴と一体となっていてもよい。図２９の御香料等履歴の出力画面において、「ＧＯ」（２９０６）ボタンをクリックすれば、御香料などの送金を指示するための入力画面に切り換わる。図３０は、実施形態５のオンラインバーチャル仏壇装置において、御香料などの送金を利用者の引出口座から銀行ネット振込を指示するための入力画面の一例である。送金指示に関する情報は、例えば、利用者識別情報（３００１）、故人識別情報（３００２）、表書き（３００３）、金額（３００４）、引出口座（３００５）及び振込先口座（３００６）などであるが、必要に応じて選択、又は／及び、追加されてもよく、この例に限定されるものではない。図３０の送金指示画面において、「ＧＯ」（３００８）ボタンをクリックすれば、利用者の引出口座から振込先口座への振込指示をする。一方、図３０の送金指示画面で「ＣＬＥＡＲ」（３００７）ボタンをクリックすれば、図３０における入力項目が全てクリアされることとしてもよい。送金指示の方法は銀行間振込に限るものではなく、前述のようにクレジットカード経由でもよいし、実行可能な送金方法であればそれ以外であってもよい。送金指示に次いで、既に不揮発性メモリに格納されている利用者識別情報及び故人識別情報と関連付けられた御香料等履歴（２８３２）が有ればそれを追加更新し、無ければ利用者識別情報及び故人識別情報と関連付けられた新規の御香料等履歴（２８３２）として不揮発性メモリに格納する。
＜実施形態５の処理の流れ＞
【０１５１】
図３１は、実施形態５のオンラインバーチャル仏壇装置において、処理の流れの一例を表すフローチャートである。なお、以下に示すステップは、媒体に記録され計算機を制御するためのプログラムを構成する処理ステップであっても構わない。
【０１５２】
まず、利用者識別情報の読み出しステップとして、ログイン認証に関連付けられた利用者識別情報を読み出す（S３１０１）。
【０１５３】
次に、故人識別情報の読み出しステップとして、利用者識別情報に関連付けられた一以上の故人識別情報を読み出し、S３１０４に行く（S３１０２）。また以下の処理は、一以上の故人識別情報の各々について、順次別々に行ってもよいし、全部又は一部を一緒に合祀してもよい。
【０１５４】
また別途、故人回想情報の取得ステップとして、インターフェースを介して入力された故人識別情報に関連付けられた故人回想情報を取得し、新規に又は既存の故人回想情報に追加して格納する（S３１０３）。
【０１５５】
次に、故人回想情報の読み出しステップとして、故人識別情報に関連付けられた故人回想情報を読み出す（S３１０４）。
【０１５６】
次に、故人回想随伴情報の読み出しステップとして、故人識別情報に関連付けられた故人回想随伴情報を読み出す（S３１０５）。
【０１５７】
次に、故人回想要求の取得ステップとして、インターフェースを介して入力された故人識別情報に関連付けられた故人回想出力要求を取得し、新規に又は既存の故人回想出力要求を更新して格納する（S３１０６）。
【０１５８】
次に、故人回想情報及び故人回想随伴情報の出力ステップとして、故人回想要求に応じて、故人回想情報又は／及び故人回想随伴情報を、利用者のパソコン画面やスマホ画面などに出力する。（S３１０７）。
【０１５９】
次に、御香料等履歴の出力ステップとして、御香料等履歴を、利用者のパソコン画面やスマホ画面などに出力する。（S３１０８）。
【０１６０】
ここで、御香料などの送金を希望しない場合は終了し、送金を希望する場合はS３１１０に行く（S３１０９）。
【０１６１】
次に、御香料等の送金指示ステップとして、御香料などの送金指示の入力に応じて、御香料等の送金を、引出口座に指示する。（S３１１０）。
【０１６２】
次に、御香料等履歴の記録ステップとして、新規に又は既存の御香料等履歴を追加して格納する（S３１１１）。
＜実施形態５の効果の簡単な説明＞
【０１６３】
以上のような構成をとる本発明によって、故人の供養に伴い、御香料等の送金を指示することができる。
＜実施形態６＞
＜実施形態６の概要＞
【０１６４】
実施形態６は、上記実施形態１から実施形態５を基本として、宗教又は／及び宗派を選択する宗派等選択部と、宗教又は／及び宗派に関連付けて仏壇の基本映像と、仏壇に配置される仏具等の映像、読み上げるお経や説教の音声のいずれか一以上である仏壇仏具映像を保持する仏壇仏具映像保持部と、宗教又は／及び宗派の選択に応じてこれに関連付けられている仏壇仏具映像を取得する仏壇仏具映像取得部と、取得した仏壇仏具映像を故人回想随伴情報保持部に故人識別情報と関連付けて保持させるために故人回想随伴情報として出力する仏壇仏具映像出力部と、をさらに有することを特徴とするオンラインバーチャル仏壇装置である。
【０１６５】
宗教又は／及び宗派によって、仏壇又は／及び仏具等が異なるだけでなく、その大小や配置等にも細かな差異があることはよく知られていることである。また、読み上げるお経や説教の音声、あるいは間としての静寂についても種々多様である。それらの差異は、故人のお気持ちに沿う意味でも故人を偲んで供養する利用者にとっても、機微に触れるものであり、尊重されるべきものである。
＜実施形態６の構成＞
【０１６６】
図３２は、実施形態６のオンラインバーチャル仏壇装置において、機能ブロック図の一例を表す図である。この図に例示するように、実施形態６のオンラインバーチャル仏壇装置（３２００）は、利用者識別情報保持部（３２０１）と、故人識別情報保持部（３２０２）と、故人回想情報取得部（３２０３）と、故人回想情報保持部（３２０４）と、故人回想出力要求取得部（３２０５）と、故人回想随伴情報保持部（３２０６）と、故人回想出力部（３２０７）と、を有し、宗派等選択部（３２１３）と、仏壇仏具映像保持部（３２１４）と、仏壇仏具映像取得部（３２１５）と、仏壇仏具映像出力部（３２１６）と、をさらに有している。
【０１６７】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１から実施形態５にて既に記載済みであるのでその説明は省略する。実施形態６の特徴点である宗派等選択部と仏壇仏具映像保持部と仏壇仏具映像取得部と仏壇仏具映像出力部とについて、以下説明する。
＜実施形態６の構成の説明：宗派等選択部＞
【０１６８】
「宗派等選択部」（３２１３）は、上記実施形態１から実施形態５を基本として、さらに、宗教又は／及び宗派を選択するための機能を有し、例えば、メインメモリや不揮発性メモリやインターフェースなどの組み合わせによって実現することができる。グラフィカルユーザインターフェースとしては、例えばボタンメニューをクリックする、又は／及び、チェックボックスにチェックを入れることにより、宗教又は／及び宗派などを選択するような画面で構成される。
＜実施形態６の構成の説明：仏壇仏具映像保持部＞
【０１６９】
「仏壇仏具映像保持部」（３２１４）は、上記実施形態１から実施形態５を基本として、さらに、宗教又は／及び宗派に関連付けて仏壇の基本映像と、仏壇に配置される仏具等の映像、読み上げるお経や説教の音声のいずれか一以上である仏壇仏具映像を保持するように構成されており、例えば、メインメモリや不揮発性メモリやインターフェースなどの組み合わせによって実現することができる。これにより、多様な宗教又は／及び宗派の別に応じて、仏壇仏具映像は多様なものとして保持することになるが、宗教又は／及び宗派が異なっている場合であっても、共通の仏壇仏具映像を保持することになってもよい。
＜実施形態６の構成の説明：仏壇仏具映像取得部＞
【０１７０】
「仏壇仏具映像取得部」（３２１５）は、上記実施形態１から実施形態５を基本として、さらに、宗教又は／及び宗派の選択に応じてこれに関連付けられている仏壇仏具映像を取得するための機能を有し、例えば、メインメモリや不揮発性メモリやインターフェースなどの組み合わせによって実現することができる。前述の宗派等選択部において選択した宗教又は／及び宗派などに関連付けられた仏壇仏具映像を取得する、という具合である。
＜実施形態６の構成の説明：仏壇仏具映像出力部＞
【０１７１】
「仏壇仏具映像出力部」（３２１６）は、上記実施形態１から実施形態５を基本として、さらに、取得した仏壇仏具映像を故人回想随伴情報保持部に故人識別情報と関連付けて保持させるために故人回想随伴情報として出力するための機能を有し、例えば、メインメモリや不揮発性メモリやインターフェースなどの組み合わせによって実現することができる。これにより、故人回想随伴情報保持部に保持する故人回想随伴情報を全部又は一部を更新する、という具合である。なお、取得した仏壇仏具映像を故人回想随伴情報保持部に故人識別情報と合わせて利用者識別情報と関連付けてもよい。
＜実施形態６のハードウェア構成＞
【０１７２】
図３３は、実施形態６のオンラインバーチャル仏壇装置において、ハードウェア構成図の一例を表す図である。この図を利用して実施形態６のオンラインバーチャル仏壇装置において、それぞれのハードウェア構成部の働きについて説明する。上記実施形態１から実施形態５のオンラインバーチャル仏壇装置を基本として、宗派等選択部と仏壇仏具映像保持部と仏壇仏具映像取得部と仏壇仏具映像出力部は、以下のようなハードウェアとプログラムで構成される。この図にあるように、ＣＰＵ（中央演算装置）（３３０１）と、メインメモリ（３３０２）と、キーボードやディスプレイや通信バスやマウスなどのインターフェース（３３０３）と、ハードディスクなどの不揮発性メモリ（３３０４）と、を備えている。そしてそれらがシステムバスなどのデータ通信経路によって相互に接続され、情報の送受信や処理を行う。
【０１７３】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０１７４】
ＣＰＵは、宗派等選択プログラム（３３１２）を実行し、インターフェースを介して入力された利用者からの宗教又は／及び宗派を特定する宗派等選択情報を取得し、故人識別情報と関連付けて、メインメモリのデータ領域の宗派等選択情報（３３２１）に格納する。次いで、既に不揮発性メモリに格納されている故人識別情報と関連付けられた宗派等選択情報（３３３９）が有ればそれを更新し、無ければ故人識別情報と関連付けられた新規の宗派等選択情報（３３３９）として不揮発性メモリに格納する。
【０１７５】
そして、ＣＰＵは、仏壇仏具映像保持プログラム（３３１３）を実行し、既に不揮発性メモリに格納されている宗教又は／及び宗派に関連付けられた仏壇仏具映像（３３４０）をメインメモリのデータ領域の仏壇仏具映像（３３２２）に読み出す。
【０１７６】
そして、ＣＰＵは、仏壇仏具映像取得プログラム（３３１４）を実行し、既にメインメモリのデータ領域に読み出されている仏壇仏具映像（３３２２）の内、メインメモリのデータ領域の宗派等選択情報（３３２１）によって選択された仏壇仏具映像を取得する。
【０１７７】
そして、ＣＰＵは、仏壇仏具映像出力プログラム（３３１５）を実行し、既に不揮発性メモリに格納されている故人識別情報と関連付けられた故人回想随伴情報（３３３８）が有れば、それをメインメモリのデータ領域の故人回想随伴情報（３３２０）に読み出し、取得した仏壇仏具映像により更新して故人回想随伴情報（３３３８）として不揮発性メモリに格納し、無ければ故人識別情報と関連付けられた新規の故人回想随伴情報（３３３８）として不揮発性メモリに格納する。
＜実施形態６の処理の流れ＞
【０１７８】
図３４は、実施形態６のオンラインバーチャル仏壇装置において、処理の流れの一例を表すフローチャートである。なお、以下に示すステップは、媒体に記録され計算機を制御するためのプログラムを構成する処理ステップであっても構わない。
【０１７９】
まず、利用者識別情報の読み出しステップとして、ログイン認証に関連付けられた利用者識別情報を読み出す（S３４０１）。
【０１８０】
次に、故人識別情報の読み出しステップとして、利用者識別情報に関連付けられた一以上の故人識別情報を読み出し、S３４０４に行く（S３４０２）。また以下の処理は、一以上の故人識別情報の各々について、順次別々に行ってもよいし、全部又は一部を一緒に合祀してもよい。
【０１８１】
また別途、故人回想情報の取得ステップとして、インターフェースを介して入力された故人識別情報に関連付けられた故人回想情報を取得し、新規に又は既存の故人回想情報に追加して格納する（S３４０３）。
【０１８２】
次に、故人回想情報の読み出しステップとして、故人識別情報に関連付けられた故人回想情報を読み出す（S３４０４）。
【０１８３】
次に、宗派等選択情報の取得ステップとして、インターフェースを介して入力された故人識別情報に関連付けられた宗派等選択情報を取得する（S３４０５）。
【０１８４】
次に、仏壇仏具映像の読み出しステップとして、宗教又は／及び宗派に関連付けられた仏壇仏具映像を読み出す（S３４０６）。
【０１８５】
次に、仏壇仏具映像の取得ステップとして、宗派等選択情報によって選択された仏壇仏具映像を取得する（S３４０７）。
【０１８６】
次に、仏壇仏具映像の出力ステップとして、取得した仏壇仏具映像を、故人識別情報と関連付けられた故人回想随伴情報として出力し、新規に又は既存の故人回想随伴情報を更新して格納する（S３４０８）。
【０１８７】
次に、故人回想随伴情報の読み出しステップとして、故人識別情報に関連付けられた故人回想随伴情報を読み出す（S３４０９）。
【０１８８】
次に、故人回想要求の取得ステップとして、インターフェースを介して入力された故人識別情報に関連付けられた故人回想出力要求を取得し、新規に又は既存の故人回想出力要求を更新して格納する（S３４１０）。
【０１８９】
次に、故人回想情報及び故人回想随伴情報の出力ステップとして、故人回想要求に応じて、故人回想情報又は／及び故人回想随伴情報を、利用者のパソコン画面やスマホ画面などに出力する。（S３４１１）。
＜実施形態６の効果の簡単な説明＞
【０１９０】
以上のような構成をとる本発明によって、宗教又は／及び宗派に関連付けられた仏壇仏具映像を故人回想随伴情報として、利用者のパソコン画面やスマホ画面などに出力することができる。
＜実施形態７＞
＜実施形態７の概要＞
【０１９１】
実施形態７は、上記実施形態６を基本として、仏壇仏具映像取得部にて取得した仏壇仏具映像を利用者に編集させるための仏壇仏具映像編集部をさらに有することを特徴とするオンラインバーチャル仏壇装置である。
【０１９２】
仏壇仏具映像は、宗教又は／及び宗派によって差異があるだけでなく、地域性や更には個人の拘りによる細かな差異も利用者の編集によって実現できることが好ましい。
＜実施形態７の構成＞
【０１９３】
図３５は、実施形態７のオンラインバーチャル仏壇装置において、機能ブロック図の一例を表す図である。この図に例示するように、実施形態７のオンラインバーチャル仏壇装置（３５００）は、利用者識別情報保持部（３５０１）と、故人識別情報保持部（３５０２）と、故人回想情報取得部（３５０３）と、故人回想情報保持部（３５０４）と、故人回想出力要求取得部（３５０５）と、故人回想随伴情報保持部（３５０６）と、故人回想出力部（３５０７）と、宗派等選択部（３５１３）と、仏壇仏具映像保持部（３５１４）と、仏壇仏具映像取得部（３５１５）と、仏壇仏具映像出力部（３５１６）と、を有し、仏壇仏具映像編集部（３５１７）をさらに有している。
【０１９４】
なお、これら利用者識別情報保持部と故人識別情報保持部と故人回想情報取得部と故人回想情報保持部と故人回想出力要求取得部と故人回想随伴情報保持部と故人回想出力部と宗派等選択部と仏壇仏具映像保持部と仏壇仏具映像取得部と仏壇仏具映像出力部と、に関しては、上記実施形態６にて既に記載済みであるのでその説明は省略する。実施形態７の特徴点である仏壇仏具映像編集部について、以下説明する。
＜実施形態７の構成の説明：仏壇仏具映像編集部＞
【０１９５】
「仏壇仏具映像編集部」（３５１７）は、上記実施形態６を基本として、さらに、仏壇仏具映像取得部にて取得した仏壇仏具映像を利用者に編集させるための機能を有し、例えば、メインメモリや不揮発性メモリやインターフェースなどの組み合わせによって実現することができる。グラフィカルユーザインターフェースとしては、例えばボタンメニューをクリックする、又は／及び、チェックボックスにチェックを入れることにより、宗教又は／及び宗派などを選択するような画面で構成される。ここで「編集」は、仏具を一部別の仏具に交換したり、仏壇の色彩を変更するなどである。編集は、仏具の交換であるならば、予め交換可能な仏具のリストを準備しておき、偏光したい仏具をクリックし、交換可能な仏具を選択することで仏具の交換が可能なように構成する。仏具として挙げられるのは、仏像、花立、燭台、りん、掛け軸、位牌、仏器、茶湯器、前香炉などである。例えばこれらのアイコンが示されており、仏像を選択すると、交換可能な仏像の画像が複数現れ、気に入った仏像を選択することで交換可能とする。また仏壇の編集に関しては、帽子、笠、出〆、大戸、障子、化粧柱、勾欄、上段、ライハン、余間、太子、線香引出、前棚、蛇腹、継、下棲、台輪、畳擦、下台引出、欄間、欄間紐、丸柱、短冊、須弥壇、中段、蹴込、腰、ネコ戸、膳引、置敷居、地袋戸などの候補が同じく選択可能に構成されていることが好ましい。
＜実施形態７のハードウェア構成＞
【０１９６】
図３６は、実施形態７のオンラインバーチャル仏壇装置において、ハードウェア構成図の一例を表す図である。この図を利用して実施形態７のオンラインバーチャル仏壇装置において、それぞれのハードウェア構成部の働きについて説明する。実施形態６のオンラインバーチャル仏壇装置を基本として、仏壇仏具映像編集部は、以下のようなハードウェアとプログラムで構成される。この図にあるように、ＣＰＵ（中央演算装置）（３６０１）と、メインメモリ（３６０２）と、キーボードやディスプレイや通信バスやマウスなどのインターフェース（３６０３）と、ハードディスクなどの不揮発性メモリ（３６０４）と、を備えている。そしてそれらがシステムバスなどのデータ通信経路によって相互に接続され、情報の送受信や処理を行う。
【０１９７】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０１９８】
ＣＰＵは、仏壇仏具映像編集プログラム（３６１６）を実行し、インターフェースを介して入力された利用者からの仏壇仏具映像の編集情報を取得し、故人識別情報と関連付けて、メインメモリのデータ領域の編集情報（３６２４）に格納する。次いで、既に不揮発性メモリに格納されている故人識別情報と関連付けられた編集情報（３６４４）が有ればそれを更新し、無ければ故人識別情報と関連付けられた新規の編集情報（３６４４）として不揮発性メモリに格納する。さらに、既に不揮発性メモリに格納されている故人識別情報と関連付けられた故人回想随伴情報（３６４１）をメインメモリのデータ領域の故人回想随伴情報（３６２１）に読み出し、取得した編集情報により更新して故人回想随伴情報（３６４１）として不揮発性メモリに格納する。
＜実施形態７の処理の流れ＞
【０１９９】
図３７は、実施形態７のオンラインバーチャル仏壇装置において、処理の流れの一例を表すフローチャートである。なお、以下に示すステップは、媒体に記録され計算機を制御するためのプログラムを構成する処理ステップであっても構わない。
【０２００】
まず、利用者識別情報の読み出しステップとして、ログイン認証に関連付けられた利用者識別情報を読み出す（S３７０１）。
【０２０１】
次に、故人識別情報の読み出しステップとして、利用者識別情報に関連付けられた一以上の故人識別情報を読み出し、S３７０４に行く（S３７０２）。また以下の処理は、一以上の故人識別情報の各々について、順次別々に行ってもよいし、全部又は一部を一緒に合祀してもよい。
【０２０２】
また別途、故人回想情報の取得ステップとして、インターフェースを介して入力された故人識別情報に関連付けられた故人回想情報を取得し、新規に又は既存の故人回想情報に追加して格納する（S３７０３）。
【０２０３】
次に、故人回想情報の読み出しステップとして、故人識別情報に関連付けられた故人回想情報を読み出す（S３７０４）。
【０２０４】
次に、宗派等選択情報の取得ステップとして、インターフェースを介して入力された故人識別情報に関連付けられた宗派等選択情報を取得する（S３７０５）。
【０２０５】
次に、仏壇仏具映像の読み出しステップとして、宗教又は／及び宗派に関連付けられた仏壇仏具映像を読み出す（S３７０６）。
【０２０６】
次に、仏壇仏具映像の取得ステップとして、宗派等選択情報によって選択された仏壇仏具映像を取得する（S３７０７）。
【０２０７】
次に、仏壇仏具映像の出力ステップとして、取得した仏壇仏具映像を、故人識別情報と関連付けられた故人回想随伴情報として出力し、新規に又は既存の故人回想随伴情報を更新して格納する（S３７０８）。
【０２０８】
次に、仏壇仏具映像の編集ステップとして、インターフェースを介して入力された故人識別情報に関連付けられた編集情報を取得して、仏壇仏具映像を編集する（S３７０９）。
【０２０９】
次に、故人回想随伴情報の読み出しステップとして、故人識別情報に関連付けられた故人回想随伴情報を読み出す（S３７１０）。
【０２１０】
次に、故人回想要求の取得ステップとして、インターフェースを介して入力された故人識別情報に関連付けられた故人回想出力要求を取得し、新規に又は既存の故人回想出力要求を更新して格納する（S３７１１）。
【０２１１】
次に、故人回想情報及び故人回想随伴情報の出力ステップとして、故人回想要求に応じて、故人回想情報又は／及び故人回想随伴情報を、利用者のパソコン画面やスマホ画面などに出力する。（S３７１２）。
＜実施形態７の効果の簡単な説明＞
【０２１２】
以上のような構成をとる本発明によって、宗教又は／及び宗派に関連付けられた仏壇仏具映像に、さらに利用者による編集を反映させた故人回想随伴情報を、利用者のパソコン画面やスマホ画面などに出力することができる。
＜実施形態８＞
＜実施形態８の概要＞
【０２１３】
実施形態８は、上記実施形態１から実施形態７を基本として、利用者に自分が死亡した時に故人回想情報として利用させるための情報であるエンディングノート情報を取得するエンディングノート情報取得部と、取得したエンディングノート情報を保持するエンディングノート情報保持部と、保持されているエンディングノート情報を故人回想情報保持部に故人回想情報として取得させるエンディングノート情報転送部と、をさらに有することを特徴とするオンラインバーチャル仏壇装置である。
【０２１４】
利用者が、自らを故人として事前に登録し、自らの故人識別情報を、自らを含めた一以上の利用者に発行し、各々の利用者識別情報と関連付けて保持する。さらに自らの故人回想情報として利用させるための情報であるエンディングノート情報を予め準備する。エンディングノート情報とは、今までの人生とこれからの生活スタイルを総合的にまとめたノートのことで、具体的な項目としては、自分の今までの振り返り、好きな趣味や物事、家族への伝言、友人知人への気持ち、入院が必要になった時に診てもらいたい病院、介護の方式、持っている資産や遺産の書き出し、収入と支出の状況、葬儀の方式や弔辞の希望、残りの人生における夢や希望などが挙げられる。また、それらを見て、残された縁者が故人を偲ぶことができるものならば、例えば、ブログやSNSなどに残っているテキストや写真や動画などの記録をエンディングノート情報に含めてもよい。
＜実施形態８の構成＞
【０２１５】
図３８は、実施形態８のオンラインバーチャル仏壇装置において、機能ブロック図の一例を表す図である。この図に例示するように、実施形態８のオンラインバーチャル仏壇装置（３８００）は、利用者識別情報保持部（３８０１）と、故人識別情報保持部（３８０２）と、故人回想情報取得部（３８０３）と、故人回想情報保持部（３８０４）と、故人回想出力要求取得部（３８０５）と、故人回想随伴情報保持部（３８０６）と、故人回想出力部（３８０７）と、を有し、エンディングノート情報取得部（３８１８）と、エンディングノート情報保持部（３８１９）と、エンディングノート情報転送部（３８２０）と、をさらに有している。
【０２１６】
なお、これら利用者識別情報保持部と故人識別情報保持部と故人回想情報取得部と故人回想情報保持部と故人回想出力要求取得部と故人回想随伴情報保持部と故人回想出力部とに関しては、上記実施形態１から実施形態７にて既に記載済みであるのでその説明は省略する。実施形態８の特徴点であるエンディングノート情報取得部とエンディングノート情報保持部とエンディングノート情報転送部とについて、以下説明する。
＜実施形態８の構成の説明：エンディングノート情報取得部＞
【０２１７】
「エンディングノート情報取得部」（３８１８）は、上記実施形態１から実施形態７を基本として、さらに、利用者に自分が死亡した時に故人回想情報として利用させるための情報であるエンディングノート情報を取得するための機能を有し、例えば、メインメモリや不揮発性メモリやインターフェースなどの組み合わせによって実現することができる。グラフィカルユーザインターフェースとしては、例えばボタンメニューをクリックする、又は／及び、チェックボックスにチェックを入れることにより、動画や写真画像や音声ファイルや創作作品や経歴／プロフィール画像などを個別に選択する、又は／及び、それらを包含するフォルダとして取得させるような画面で構成される。
＜実施形態８の構成の説明：エンディングノート情報保持部＞
【０２１８】
「エンディングノート情報保持部」（３８１９）は、上記実施形態１から実施形態７を基本として、さらに、取得したエンディングノート情報を保持するように構成されており、例えば、メインメモリや不揮発性メモリやインターフェースなどの組み合わせによって実現することができる。
【０２１９】
実施形態８のオンラインバーチャル仏壇装置は、前述のエンディングノート情報取得部にて取得したエンディングノート情報を、新規に又は既存のエンディングノート情報に追加して、利用者自らの故人識別情報と関連付けて保持する。
＜実施形態８の構成の説明：エンディングノート情報転送部＞
【０２２０】
「エンディングノート情報転送部」（３８２０）は、上記実施形態１から実施形態７を基本として、さらに、保持されているエンディングノート情報を故人回想情報保持部に故人回想情報として取得させるための機能を有し、例えば、メインメモリや不揮発性メモリやインターフェースなどの組み合わせによって実現することができる。
＜実施形態８のハードウェア構成＞
【０２２１】
図３９は、実施形態８のオンラインバーチャル仏壇装置において、ハードウェア構成図の一例を表す図である。この図を利用して実施形態８のオンラインバーチャル仏壇装置において、それぞれのハードウェア構成部の働きについて説明する。上記実施形態１から実施形態７のオンラインバーチャル仏壇装置を基本として、エンディングノート情報取得部とエンディングノート情報保持部とエンディングノート情報転送部は、以下のようなハードウェアとプログラムで構成される。この図にあるように、ＣＰＵ（中央演算装置）（３９０１）と、メインメモリ（３９０２）と、キーボードやディスプレイや通信バスやマウスなどのインターフェース（３９０３）と、ハードディスクなどの不揮発性メモリ（３９０４）と、を備えている。そしてそれらがシステムバスなどのデータ通信経路によって相互に接続され、情報の送受信や処理を行う。
【０２２２】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０２２３】
ＣＰＵは、エンディングノート情報取得プログラム（３９１２）を実行し、インターフェースを介して入力された利用者からのエンディングノート情報を取得し、自らの故人識別情報と関連付けて、メインメモリのデータ領域のエンディングノート情報（３９２０）に格納する。
【０２２４】
ＣＰＵは、エンディングノート情報保持プログラム（３９１３）を実行し、既に不揮発性メモリに格納されている自らの故人識別情報と関連付けられたエンディングノート情報（３９３６）が有ればメインメモリのデータ領域のエンディングノート情報（３９２０）に読み出し、それに追加更新して、無ければ故人識別情報と関連付けられた新規のエンディングノート情報（３９３６）として不揮発性メモリに格納する。
【０２２５】
ＣＰＵは、エンディングノート情報転送プログラム（３９１４）を実行し、さらに、既に不揮発性メモリに格納されている故人識別情報と関連付けられたエンディングノート情報（３９３６）をメインメモリのデータ領域のエンディングノート情報（３９２０）に読み出し、自らの故人識別情報と関連付けて、故人回想情報（３９３３）として不揮発性メモリに格納する。
＜実施形態８の処理の流れ＞
【０２２６】
図４０は、実施形態８のオンラインバーチャル仏壇装置において、処理の流れの一例を表すフローチャートである。なお、以下に示すステップは、媒体に記録され計算機を制御するためのプログラムを構成する処理ステップであっても構わない。
【０２２７】
まず、利用者識別情報の読み出しステップとして、ログイン認証に関連付けられた利用者識別情報を読み出す（S４００１）。
【０２２８】
次に、故人識別情報の読み出しステップとして、利用者識別情報に関連付けられた自らの故人識別情報を読み出し、S４００７に行く（S４００２）。
【０２２９】
また別途、エンディングノート情報の取得ステップとして、インターフェースを介して入力された自らのエンディングノート情報を取得する（S４００３）。
【０２３０】
次に、エンディングノート情報の読み出しステップとして、自らの故人識別情報に関連付けられたエンディングノート情報を読み出し、新規に又は既存の自らのエンディングノート情報に追加して格納する（S４００４）。
【０２３１】
次に、エンディングノート情報の転送ステップとして、自らの故人識別情報に関連付けられたエンディングノート情報を読み出し、自らの故人回想情報として格納する（S４００５）。
【０２３２】
次に、故人回想情報の取得ステップとして、インターフェースを介して入力された故人識別情報に関連付けられた故人回想情報を取得し、新規に又は既存の故人回想情報に追加して格納する（S４００６）。
【０２３３】
次に、故人回想情報の読み出しステップとして、故人識別情報に関連付けられた故人回想情報を読み出す（S４００７）。
【０２３４】
次に、故人回想随伴情報の読み出しステップとして、故人識別情報に関連付けられた故人回想随伴情報を読み出す（S４００８）。
【０２３５】
次に、故人回想要求の取得ステップとして、インターフェースを介して入力された故人識別情報に関連付けられた故人回想出力要求を取得し、新規に又は既存の故人回想出力要求を更新して格納する（S４００９）。
【０２３６】
次に、故人回想情報及び故人回想随伴情報の出力ステップとして、故人回想要求に応じて、故人回想情報又は／及び故人回想随伴情報を、利用者のパソコン画面やスマホ画面などに出力する。（S４０１０）。
＜実施形態８の効果の簡単な説明＞
【０２３７】
以上のような構成をとる本発明によって、自らの故人回想情報として利用させるための情報であるエンディングノート情報を予め準備することができる。
＜実施形態９＞
＜実施形態９の概要＞
【０２３８】
実施形態９は、上記実施形態５又は実施形態５をベースとする実施形態６から実施形態８を基本として、クレジット機能部の送金履歴、着金履歴を保持する送金着金履歴保持部と、保持されている送金履歴、着金履歴を出力する履歴出力部と、をさらに有することを特徴とするオンラインバーチャル仏壇装置である。
＜実施形態９の構成＞
【０２３９】
図４１は、実施形態９のオンラインバーチャル仏壇装置において、機能ブロック図の一例を表す図である。この図に例示するように、実施形態９のオンラインバーチャル仏壇装置（４１００）は、利用者識別情報保持部（４１０１）と、故人識別情報保持部（４１０２）と、故人回想情報取得部（４１０３）と、故人回想情報保持部（４１０４）と、故人回想出力要求取得部（４１０５）と、故人回想随伴情報保持部（４１０６）と、故人回想出力部（４１０７）と、クレジット機能部（４１１２）と、を有し、送金着金履歴保持部（４１２１）と、履歴出力部（４１２２）と、をさらに有している。
【０２４０】
なお、これら利用者識別情報保持部と故人識別情報保持部と故人回想情報取得部と故人回想情報保持部と故人回想出力要求取得部と故人回想随伴情報保持部と故人回想出力部とクレジット機能部と、に関しては、上記実施形態５又は実施形態５をベースとする実施形態６から実施形態８にて既に記載済みであるのでその説明は省略する。実施形態９の特徴点である送金着金履歴保持部と履歴出力部と、について、以下説明する。
＜実施形態９の構成の説明：送金着金履歴保持部＞
【０２４１】
「送金着金履歴保持部」（４１２１）は、上記実施形態５又は実施形態５をベースとする実施形態６から実施形態８を基本として、さらに、クレジット機能部の送金履歴、着金履歴を保持するように構成されており、例えば、メインメモリや不揮発性メモリやインターフェースなどの組み合わせによって実現することができる。
【０２４２】
御香料などの送金に用いる銀行口座情報やクレジットカード情報などは、利用者に関する情報を事前に登録する項目に含めておくことが好ましく、その場合は利用者識別情報に関連付けられている銀行口座情報やクレジットカード情報などとなる。一方逆に、御香料などの着金に用いる銀行口座情報やクレジットカード情報などは、故人に関する情報を事前に登録する項目に含めておくことが好ましく、その場合は故人識別情報で識別される個人（親族等の代表者）の利用者識別情報に関連付けられている銀行口座情報やクレジットカード情報などとなる。これにより、御香料などの送金履歴又は／及び着金履歴として、利用者識別情報ごと又は／及び故人識別情報ごとに、送金者又は／及び着金者、送金日又は／及び着金日、御香料などの名称や金額などが保持される。
＜実施形態９の構成の説明：履歴出力部＞
【０２４３】
「履歴出力部」（４１２２）は、上記実施形態５又は実施形態５をベースとする実施形態６から実施形態８を基本として、さらに、保持されている送金履歴、着金履歴を出力するための機能を有し、例えば、メインメモリや不揮発性メモリやインターフェースなどの組み合わせによって実現することができる。
【０２４４】
御香料などの送金又は／及び着金の都度あるいは利用者からの要求に応じて、送金履歴又は／及び着金履歴を利用者のパソコン画面やスマホ画面などに出力する。
＜実施形態９のハードウェア構成＞
【０２４５】
図４２は、実施形態９のオンラインバーチャル仏壇装置において、ハードウェア構成図の一例を表す図である。この図を利用して実施形態９のオンラインバーチャル仏壇装置において、それぞれのハードウェア構成部の働きについて説明する。実施形態５又は実施形態５をベースとする実施形態６から実施形態８のオンラインバーチャル仏壇装置を基本として、送金着金履歴保持部と履歴出力部は、以下のようなハードウェアとプログラムで構成される。この図にあるように、ＣＰＵ（中央演算装置）（４２０１）と、メインメモリ（４２０２）と、キーボードやディスプレイや通信バスやマウスなどのインターフェース（４２０３）と、ハードディスクなどの不揮発性メモリ（４２０４）と、を備えている。そしてそれらがシステムバスなどのデータ通信経路によって相互に接続され、情報の送受信や処理を行う。
【０２４６】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０２４７】
ＣＰＵは、送金着金履歴保持プログラム（４２１３）を実行し、不揮発性メモリに格納されている送金着金履歴（４２３６）から、メインメモリのデータ領域にある利用者識別情報（４２１５）及び故人識別情報（４２１６）に関連付けられるメインメモリのデータ領域に送金着金履歴（４２２０）を読み出す。
【０２４８】
ＣＰＵは、履歴出力プログラム（４２１４）を実行し、メインメモリのデータ領域に読み出されている送金着金履歴（４２２０）を、図示しない利用者のパソコン画面やスマホ画面などに出力する。
＜実施形態９の処理の流れ＞
【０２４９】
図４３は、実施形態９のオンラインバーチャル仏壇装置において、処理の流れの一例を表すフローチャートである。なお、以下に示すステップは、媒体に記録され計算機を制御するためのプログラムを構成する処理ステップであっても構わない。
【０２５０】
まず、利用者識別情報の読み出しステップとして、ログイン認証に関連付けられた利用者識別情報を読み出す（S４３０１）。
【０２５１】
次に、故人識別情報の読み出しステップとして、利用者識別情報に関連付けられた一以上の故人識別情報を読み出し、S４３０４に行く（S４３０２）。また以下の処理は、一以上の故人識別情報の各々について、順次別々に行ってもよいし、全部又は一部を一緒に合祀してもよい。
【０２５２】
また別途、故人回想情報の取得ステップとして、インターフェースを介して入力された故人識別情報に関連付けられた故人回想情報を取得し、新規に又は既存の故人回想情報に追加して格納する（S４３０３）。
【０２５３】
次に、故人回想情報の読み出しステップとして、故人識別情報に関連付けられた故人回想情報を読み出す（S４３０４）。
【０２５４】
次に、故人回想随伴情報の読み出しステップとして、故人識別情報に関連付けられた故人回想随伴情報を読み出す（S４３０５）。
【０２５５】
次に、故人回想要求の取得ステップとして、インターフェースを介して入力された故人識別情報に関連付けられた故人回想出力要求を取得し、新規に又は既存の故人回想出力要求を更新して格納する（S４３０６）。
【０２５６】
次に、故人回想情報及び故人回想随伴情報の出力ステップとして、故人回想要求に応じて、故人回想情報又は／及び故人回想随伴情報を、利用者のパソコン画面やスマホ画面などに出力する。（S４３０７）。
【０２５７】
次に、送金履歴と着金履歴の読み出しステップとして、利用者識別情報又は／及び故人識別情報に関連付けられた送金履歴と着金履歴を読み出す。（S４３０８）。
【０２５８】
次に、送金履歴と着金履歴の出力ステップとして、送金履歴と着金履歴を、利用者のパソコン画面やスマホ画面などに出力する。（S４３０９）。
【０２５９】
ここで、御香料などの送金を希望しない場合は終了し、送金を希望する場合はS４３１１に行く（S４３１０）。
【０２６０】
次に、御香料等の送金指示ステップとして、御香料などの送金指示の入力に応じて、御香料等の送金を、引出口座に指示する。（S４３１１）。
【０２６１】
次に、御香料等の送金履歴の記録ステップとして、新規に又は既存の送金履歴を追加して格納する（S４３１２）。
＜実施形態９の効果の簡単な説明＞
【０２６２】
以上のような構成をとる本発明によって、御香料等の送金履歴又は／及び着金履歴を故人識別情報又は／及び利用者識別情報ごとに出力することができる。
＜実施形態１０＞
＜実施形態１０の概要＞
【０２６３】
実施形態１０は、上記実施形態１から実施形態９を基本として、保持されている故人回想情報を利用者にファイルとしてダウンロードさせるための故人回想情報ダウンロード部をさらに有することを特徴とするオンラインバーチャル仏壇装置である。
＜実施形態１０の構成＞
【０２６４】
図４４は、実施形態１０のオンラインバーチャル仏壇装置において、機能ブロック図の一例を表す図である。この図に例示するように、実施形態１０のオンラインバーチャル仏壇装置（４４００）は、利用者識別情報保持部（４４０１）と、故人識別情報保持部（４４０２）と、故人回想情報取得部（４４０３）と、故人回想情報保持部（４４０４）と、故人回想出力要求取得部（４４０５）と、故人回想随伴情報保持部（４４０６）と、故人回想出力部（４４０７）と、を有し、故人回想情報ダウンロード部（４４２３）をさらに有している。
【０２６５】
なお、これら利用者識別情報保持部と故人識別情報保持部と故人回想情報取得部と故人回想情報保持部と故人回想出力要求取得部と故人回想随伴情報保持部と故人回想出力部と、に関しては、上記実施形態１から実施形態９にて既に記載済みであるのでその説明は省略する。実施形態１０の特徴点である故人回想情報ダウンロード部について、以下説明する。
＜実施形態１０の構成の説明：故人回想情報ダウンロード部＞
【０２６６】
「故人回想情報ダウンロード部」（４４２３）は、上記実施形態１から実施形態９を基本として、さらに、保持されている故人回想情報を利用者にファイルとしてダウンロードさせるための機能を有し、例えば、メインメモリや不揮発性メモリやインターフェースなどの組み合わせによって実現することができる。
【０２６７】
故人を供養するための故人回想情報であるが、例えば、故人回想情報の大幅な入替又はこのオンラインバーチャル仏壇装置からの脱会などにより、利用者の希望により、利用者にダウンロードされたファイルとして提供又は返還する場合があり、そのための機能が必要である。
＜実施形態１０のハードウェア構成＞
【０２６８】
図４５は、実施形態１０のオンラインバーチャル仏壇装置において、ハードウェア構成図の一例を表す図である。この図を利用して実施形態１０のオンラインバーチャル仏壇装置において、それぞれのハードウェア構成部の働きについて説明する。実施形態１から実施形態９のオンラインバーチャル仏壇装置を基本として、故人回想情報ダウンロード部は、以下のようなハードウェアとプログラムで構成される。この図にあるように、ＣＰＵ（中央演算装置）（４５０１）と、メインメモリ（４５０２）と、キーボードやディスプレイや通信バスやマウスなどのインターフェース（４５０３）と、ハードディスクなどの不揮発性メモリ（４５０４）と、を備えている。そしてそれらがシステムバスなどのデータ通信経路によって相互に接続され、情報の送受信や処理を行う。
【０２６９】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０２７０】
ＣＰＵは、故人回想情報ダウンロードプログラム（４２１２）を実行し、不揮発性メモリに格納されている故人回想情報（４５２８）から、メインメモリのデータ領域にある利用者識別情報（４５１３）及び故人識別情報（４５１４）に関連付けられるメインメモリのデータ領域に故人回想情報（４５１５）を読み出し、インターフェース（４５０３）を介して、図示しない利用者のパソコンやスマホの記憶媒体にダウンロードする。
＜実施形態１０の処理の流れ＞
【０２７１】
図４６は、実施形態１０のオンラインバーチャル仏壇装置において、処理の流れの一例を表すフローチャートである。なお、以下に示すステップは、媒体に記録され計算機を制御するためのプログラムを構成する処理ステップであっても構わない。
【０２７２】
まず、利用者識別情報の読み出しステップとして、ログイン認証に関連付けられた利用者識別情報を読み出す（S４６０１）。
【０２７３】
次に、故人識別情報の読み出しステップとして、利用者識別情報に関連付けられた一以上の故人識別情報を読み出し、S４６０４に行く（S４６０２）。また以下の処理は、一以上の故人識別情報の各々について、順次別々に行ってもよいし、全部又は一部を一緒に合祀してもよい。
【０２７４】
また別途、故人回想情報の取得ステップとして、インターフェースを介して入力された故人識別情報に関連付けられた故人回想情報を取得し、新規に又は既存の故人回想情報に追加して格納する（S４６０３）。
【０２７５】
次に、故人回想情報の読み出しステップとして、故人識別情報に関連付けられた故人回想情報を読み出す（S４６０４）。
【０２７６】
次に、故人回想随伴情報の読み出しステップとして、故人識別情報に関連付けられた故人回想随伴情報を読み出す（S４６０５）。
【０２７７】
次に、故人回想要求の取得ステップとして、インターフェースを介して入力された故人識別情報に関連付けられた故人回想出力要求を取得し、新規に又は既存の故人回想出力要求を更新して格納する（S４６０６）。
【０２７８】
次に、故人回想情報及び故人回想随伴情報の出力ステップとして、故人回想要求に応じて、故人回想情報又は／及び故人回想随伴情報を、利用者のパソコン画面やスマホ画面などに出力する。（S４６０７）。
【０２７９】
また別途、故人回想情報のダウンロードステップとして、インターフェースを介して故人回想情報を、図示しない利用者のパソコンやスマホの記憶媒体にダウンロードする（S４６０８）。
＜実施形態１０の効果の簡単な説明＞
【０２８０】
以上のような構成をとる本発明によって、故人回想情報のダウンロードしたファイルを利用者に提供することができる。
＜実施形態１１＞
＜実施形態１１の概要＞
【０２８１】
実施形態１１は、上記実施形態８又は実施形態８をベースとする実施形態９から実施形態１０を基本として、保持されているエンディングノート情報を利用者にファイルとしてダウンロードさせるためのエンディングノート情報ダウンロード部をさらに有することを特徴とするオンラインバーチャル仏壇装置である。
＜実施形態１１の構成＞
【０２８２】
図４７は、実施形態１１のオンラインバーチャル仏壇装置において、機能ブロック図の一例を表す図である。この図に例示するように、実施形態１１のオンラインバーチャル仏壇装置（４７００）は、利用者識別情報保持部（４７０１）と、故人識別情報保持部（４７０２）と、故人回想情報取得部（４７０３）と、故人回想情報保持部（４７０４）と、故人回想出力要求取得部（４７０５）と、故人回想随伴情報保持部（４７０６）と、故人回想出力部（４７０７）と、エンディングノート情報取得部（４７１８）と、エンディングノート情報保持部（４７１９）と、エンディングノート情報転送部（４７２０）と、を有し、エンディングノート情報ダウンロード部（４７２４）をさらに有している。
【０２８３】
なお、これら利用者識別情報保持部と故人識別情報保持部と故人回想情報取得部と故人回想情報保持部と故人回想出力要求取得部と故人回想随伴情報保持部と故人回想出力部とエンディングノート情報取得部とエンディングノート情報保持部とエンディングノート情報転送部と、に関しては、上記実施形態８又は実施形態８をベースとする実施形態９から実施形態１０にて既に記載済みであるのでその説明は省略する。実施形態１１の特徴点であるエンディングノート情報ダウンロード部について、以下説明する。
＜実施形態１１の構成の説明：エンディングノート情報ダウンロード部＞
【０２８４】
「エンディングノート情報ダウンロード部」（４７２４）は、上記実施形態８又は実施形態８をベースとする実施形態９から実施形態１０を基本として、さらに、保持されているエンディングノート情報を利用者にファイルとしてダウンロードさせるための機能を有し、例えば、メインメモリや不揮発性メモリやインターフェースなどの組み合わせによって実現することができる。
【０２８５】
利用者に自分が死亡した時に故人回想情報として利用させるための情報であるエンディングノート情報であるが、例えば、エンディングノート情報の大幅な入替又はこのオンラインバーチャル仏壇装置からの脱会などにより、利用者の希望により、利用者にダウンロードされたファイルとして提供又は返還する場合があり、そのための機能が必要である。
＜実施形態１１のハードウェア構成＞
【０２８６】
図４８は、実施形態１１のオンラインバーチャル仏壇装置において、ハードウェア構成図の一例を表す図である。この図を利用して実施形態１１のオンラインバーチャル仏壇装置において、それぞれのハードウェア構成部の働きについて説明する。上記実施形態８又は実施形態８をベースとする実施形態９から実施形態１０のオンラインバーチャル仏壇装置を基本として、エンディングノート情報ダウンロード部は、以下のようなハードウェアとプログラムで構成される。この図にあるように、ＣＰＵ（中央演算装置）（４８０１）と、メインメモリ（４８０２）と、キーボードやディスプレイや通信バスやマウスなどのインターフェース（４８０３）と、ハードディスクなどの不揮発性メモリ（４８０４）と、を備えている。そしてそれらがシステムバスなどのデータ通信経路によって相互に接続され、情報の送受信や処理を行う。
【０２８７】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０２８８】
ＣＰＵは、エンディングノート情報ダウンロードプログラム（４８１５）を実行し、不揮発性メモリに格納されているエンディングノート情報（４８３８）から、メインメモリのデータ領域にある利用者識別情報（４８１６）及び故人識別情報（４８１７）に関連付けられるメインメモリのデータ領域にエンディングノート情報（４８２１）を読み出し、インターフェース（４８０３）を介して、図示しない利用者のパソコンやスマホの記憶媒体にダウンロードする。
＜実施形態１１の処理の流れ＞
【０２８９】
図４９は、実施形態１１のオンラインバーチャル仏壇装置において、処理の流れの一例を表すフローチャートである。なお、以下に示すステップは、媒体に記録され計算機を制御するためのプログラムを構成する処理ステップであっても構わない。
【０２９０】
まず、利用者識別情報の読み出しステップとして、ログイン認証に関連付けられた利用者識別情報を読み出す（S４９０１）。
【０２９１】
次に、故人識別情報の読み出しステップとして、利用者識別情報に関連付けられた自らの故人識別情報を読み出し、S４９０７に行く（S４９０２）。
【０２９２】
また別途、エンディングノート情報の取得ステップとして、インターフェースを介して入力された自らのエンディングノート情報を取得する（S４９０３）。
【０２９３】
次に、エンディングノート情報の読み出しステップとして、自らの故人識別情報に関連付けられたエンディングノート情報を読み出し、新規に又は既存の自らのエンディングノート情報に追加して格納する（S４９０４）。
【０２９４】
次に、エンディングノート情報の転送ステップとして、自らの故人識別情報に関連付けられたエンディングノート情報を読み出し、自らの故人回想情報として格納する（S４９０５）。
【０２９５】
次に、故人回想情報の取得ステップとして、インターフェースを介して入力された故人識別情報に関連付けられた故人回想情報を取得し、新規に又は既存の故人回想情報に追加して格納する（S４９０６）。
【０２９６】
次に、故人回想情報の読み出しステップとして、故人識別情報に関連付けられた故人回想情報を読み出す（S４９０７）。
【０２９７】
次に、故人回想随伴情報の読み出しステップとして、故人識別情報に関連付けられた故人回想随伴情報を読み出す（S４９０８）。
【０２９８】
次に、故人回想要求の取得ステップとして、インターフェースを介して入力された故人識別情報に関連付けられた故人回想出力要求を取得し、新規に又は既存の故人回想出力要求を更新して格納する（S４９０９）。
【０２９９】
次に、故人回想情報及び故人回想随伴情報の出力ステップとして、故人回想要求に応じて、故人回想情報又は／及び故人回想随伴情報を、利用者のパソコン画面やスマホ画面などに出力する。（S４９１０）。
【０３００】
また別途、エンディングノート情報のダウンロードステップとして、インターフェースを介してエンディングノート情報を、図示しない利用者のパソコンやスマホの記憶媒体にダウンロードする（S４９１１）。
＜実施形態１１の効果の簡単な説明＞
【０３０１】
以上のような構成をとる本発明によって、エンディングノート情報のダウンロードしたファイルを利用者に提供することができる。
＜実施形態１２＞
＜実施形態１２の概要＞
【０３０２】
実施形態１２は、上記実施形態１から実施形態１１を基本として、利用者の親族、利用者の近親者などの連絡先である緊急連絡先を取得する緊急連絡先取得部と、取得した緊急連絡先を保持する緊急連絡先保持部と、保持されている緊急連絡先を閲覧するための緊急連絡先閲覧部と、をさらに有することを特徴とするオンラインバーチャル仏壇装置である。
＜実施形態１２の構成＞
【０３０３】
図５０は、実施形態１２のオンラインバーチャル仏壇装置において、機能ブロック図の一例を表す図である。この図に例示するように、実施形態１２のオンラインバーチャル仏壇装置（５０００）は、利用者識別情報保持部（５００１）と、故人識別情報保持部（５００２）と、故人回想情報取得部（５００３）と、故人回想情報保持部（５００４）と、故人回想出力要求取得部（５００５）と、故人回想随伴情報保持部（５００６）と、故人回想出力部（５００７）と、を有し、緊急連絡先取得部（５０２５）と、緊急連絡先保持部（５０２６）と、緊急連絡先閲覧部（５０２７）と、をさらに有している。
【０３０４】
なお、これら利用者識別情報保持部と故人識別情報保持部と故人回想情報取得部と故人回想情報保持部と故人回想出力要求取得部と故人回想随伴情報保持部と故人回想出力部とに関しては、上記実施形態１から実施形態１１にて既に記載済みであるのでその説明は省略する。実施形態１２の特徴点である緊急連絡先取得部と緊急連絡先保持部と緊急連絡先閲覧部とについて、以下説明する。
＜実施形態１２の構成の説明：緊急連絡先取得部＞
【０３０５】
「緊急連絡先取得部」（５０２５）は、上記実施形態１から実施形態１１を基本として、さらに、利用者の親族、利用者の近親者などの連絡先である緊急連絡先を取得するための機能を有し、例えば、メインメモリや不揮発性メモリやインターフェースなどの組み合わせによって実現することができる。例えば、個人ごとに、氏名、利用者との続柄、住所や電話番号やメールアドレスなどの連絡先、過去の葬式／法事の履歴ごとの香典金額や供花や弔電、返礼内容やお斎の参列有無などを一覧表として取得させるような画面で構成されるものであってもよい。
＜実施形態１２の構成の説明：緊急連絡先保持部＞
【０３０６】
「緊急連絡先保持部」（５０２６）は、上記実施形態１から実施形態１１を基本として、さらに、取得した緊急連絡先を保持するように構成されており、例えば、メインメモリや不揮発性メモリやインターフェースなどの組み合わせによって実現することができる。
【０３０７】
実施形態１２のオンラインバーチャル仏壇装置は、前述の緊急連絡先取得部にて取得した緊急連絡先を、新規に又は既存の緊急連絡先に追加して、利用者識別情報と関連付けて保持する。
＜実施形態１２の構成の説明：緊急連絡先閲覧部＞
【０３０８】
「緊急連絡先閲覧部」（５０２７）は、上記実施形態１から実施形態１１を基本として、さらに、保持されている緊急連絡先を閲覧するための機能を有し、例えば、メインメモリや不揮発性メモリやインターフェースなどの組み合わせによって実現することができる。
＜実施形態１２のハードウェア構成＞
【０３０９】
図５１は、実施形態１２のオンラインバーチャル仏壇装置において、ハードウェア構成図の一例を表す図である。この図を利用して実施形態１２のオンラインバーチャル仏壇装置において、それぞれのハードウェア構成部の働きについて説明する。上記実施形態１から実施形態１１のオンラインバーチャル仏壇装置を基本として、緊急連絡先取得部と緊急連絡先保持部と緊急連絡先閲覧部は、以下のようなハードウェアとプログラムで構成される。この図にあるように、ＣＰＵ（中央演算装置）（５１０１）と、メインメモリ（５１０２）と、キーボードやディスプレイや通信バスやマウスなどのインターフェース（５１０３）と、ハードディスクなどの不揮発性メモリ（５１０４）と、を備えている。そしてそれらがシステムバスなどのデータ通信経路によって相互に接続され、情報の送受信や処理を行う。
【０３１０】
ＣＰＵは、不揮発性メモリに格納されている各種処理を行うためのプログラムをＣＰＵに実行させるため、メインメモリのワーク領域に読み出すと同時にそのプログラムの作業領域でもあるデータ領域を提供する。また、このメインメモリや不揮発性メモリにはそれぞれ特定のアドレスが割り当てられており、ＣＰＵで実行されるプログラムは、そのアドレスを特定しアクセスすることで相互にデータのやりとりを行い、処理を行うことが可能になっている。
【０３１１】
ＣＰＵは、緊急連絡先取得プログラム（５１１２）を実行し、インターフェースを介して入力された利用者からの緊急連絡先を取得し、利用者識別情報と関連付けて、メインメモリのデータ領域の緊急連絡先（５１２０）に格納する。
【０３１２】
ＣＰＵは、緊急連絡先保持プログラム（５１１３）を実行し、既に不揮発性メモリに格納されている利用者識別情報と関連付けられた緊急連絡先（５１３６）が有ればメインメモリのデータ領域の緊急連絡先（５１２０）に読み出し、それに追加更新して、無ければ利用者識別情報と関連付けられた新規の緊急連絡先（５１３６）として不揮発性メモリに格納する。
【０３１３】
ＣＰＵは、緊急連絡先閲覧プログラム（５１１４）を実行し、さらに、既に不揮発性メモリに格納されている利用者識別情報と関連付けられた緊急連絡先（５１３６）をメインメモリのデータ領域の緊急連絡先（５１２０）に読み出し、インターフェース（５１０３）を介して、図示しない利用者のパソコンやスマホの、閲覧画面に出力する。閲覧画面は、例えば、個人ごとに、氏名、利用者との続柄、住所や電話番号やメールアドレスなどの連絡先、過去の葬式／法事の履歴ごとの香典金額や供花や弔電、返礼内容やお斎の参列有無などを一覧表として閲覧できるような画面で構成されるものであってもよい。
＜実施形態１２の処理の流れ＞
【０３１４】
図５２は、実施形態１２のオンラインバーチャル仏壇装置において、処理の流れの一例を表すフローチャートである。なお、以下に示すステップは、媒体に記録され計算機を制御するためのプログラムを構成する処理ステップであっても構わない。
【０３１５】
まず、利用者識別情報の読み出しステップとして、ログイン認証に関連付けられた利用者識別情報を読み出す（S５２０１）。また以下の処理は、一以上の故人識別情報の各々について、順次別々に行ってもよいし、全部又は一部を一緒に合祀してもよい。
【０３１６】
次に、故人識別情報の読み出しステップとして、利用者識別情報に関連付けられた一以上の故人識別情報を読み出し、S５２０４に行く（S５２０２）。
【０３１７】
また別途、故人回想情報の取得ステップとして、インターフェースを介して入力された故人識別情報に関連付けられた故人回想情報を取得し、新規に又は既存の故人回想情報に追加して格納する（S５２０３）。
【０３１８】
次に、故人回想情報の読み出しステップとして、故人識別情報に関連付けられた故人回想情報を読み出す（S５２０４）。
【０３１９】
次に、故人回想随伴情報の読み出しステップとして、故人識別情報に関連付けられた故人回想随伴情報を読み出す（S５２０５）。
【０３２０】
次に、故人回想要求の取得ステップとして、インターフェースを介して入力された故人識別情報に関連付けられた故人回想出力要求を取得し、新規に又は既存の故人回想出力要求を更新して格納する（S５２０６）。
【０３２１】
次に、故人回想情報及び故人回想随伴情報の出力ステップとして、故人回想要求に応じて、故人回想情報又は／及び故人回想随伴情報を、利用者のパソコン画面やスマホ画面などに出力する（S５２０７）。
【０３２２】
また別途、緊急連絡先の取得ステップとして、インターフェースを介して入力された緊急連絡先を取得する（S５２０８）。
【０３２３】
次に、緊急連絡先の読み出しステップとして、利用者識別情報に関連付けられた緊急連絡先を読み出し、新規に又は既存の緊急連絡先に追加して格納する（S５２０９）。
【０３２４】
次に、緊急連絡先の閲覧ステップとして、利用者識別情報に関連付けられた緊急連絡先を読み出し、インターフェースを介して、利用者のパソコンやスマホの閲覧画面に出力する（S５２１０）。
＜実施形態１２の効果の簡単な説明＞
【０３２５】
以上のような構成をとる本発明によって、利用者の身に何かのトラブルが発生したときに、利用者に代わって利用者の家族などが、利用者と繋がりを有する親族や友人などへの緊急連絡をするための緊急連絡先を予め準備することができる。
【符号の説明】
【０３２６】
０２００  オンラインバーチャル仏壇装置
０２０１  利用者識別情報保持部
０２０２  故人識別情報保持部
０２０３  故人回想情報取得部
０２０４  故人回想情報保持部
０２０５  故人回想出力要求取得部
０２０６  故人回想情報随伴保持部
０２０７  故人回想出力部
【図１】
2019141135.tif 000003
【図２】
2019141135.tif 000004
【図３】
2019141135.tif 000005
【図４】
2019141135.tif 000006
【図５】
2019141135.tif 000007
【図６】
2019141135.tif 000008
【図７】
2019141135.tif 000009
【図８】
2019141135.tif 000010
【図９】
2019141135.tif 000011
【図１０】
2019141135.tif 000012
【図１１】
2019141135.tif 000013
【図１２】
2019141135.tif 000014
【図１３】
2019141135.tif 000015
【図１４】
2019141135.tif 000016
【図１５】
2019141135.tif 000017
【図１６】
2019141135.tif 000018
【図１７】
2019141135.tif 000019
【図１８】
2019141135.tif 000020
【図１９】
2019141135.tif 000021
【図２０】
2019141135.tif 000022
【図２１】
2019141135.tif 000023
【図２２】
2019141135.tif 000024
【図２３】
2019141135.tif 000025
【図２４】
2019141135.tif 000026
【図２５】
2019141135.tif 000027
【図２６】
2019141135.tif 000028
【図２７】
2019141135.tif 000029
【図２８】
2019141135.tif 000030
【図２９】
2019141135.tif 000031
【図３０】
2019141135.tif 000032
【図３１】
2019141135.tif 000033
【図３２】
2019141135.tif 000034
【図３３】
2019141135.tif 000035
【図３４】
2019141135.tif 000036
【図３５】
2019141135.tif 000037
【図３６】
2019141135.tif 000038
【図３７】
2019141135.tif 000039
【図３８】
2019141135.tif 000040
【図３９】
2019141135.tif 000041
【図４０】
2019141135.tif 000042
【図４１】
2019141135.tif 000043
【図４２】
2019141135.tif 000044
【図４３】
2019141135.tif 000045
【図４４】
2019141135.tif 000046
【図４５】
2019141135.tif 000047
【図４６】
2019141135.tif 000048
【図４７】
2019141135.tif 000049
【図４８】
2019141135.tif 000050
【図４９】
2019141135.tif 000051
【図５０】
2019141135.tif 000052
【図５１】
2019141135.tif 000053
【図５２】
2019141135.tif 000054